(57)【要約】本発明の実施例は、リソース指示方法および装置を開示し、該方法は、プリエンプティブ伝送される参照リソースを設定し、時間領域において前記参照リソースをＭ個の部分に分割し、周波数領域において前記参照リソースをＮ個の部分に分割することと、指示情報により、前記時間領域におけるＭ個の部分および／または周波数領域におけるＮ個の部分においてプリエンプトされたリソースを指示する（Ｍ≧１、Ｎ≧１）こととを含み、前記参照リソースの時間領域に含まれる下りシンボル数は、１４よりも少ない数と、１４よりも多い数との少なくとも一方を含む。コンピュータ記憶媒体およびプロセッサを更に開示する。
2021503228.tif 000002
【特許請求の範囲】
【請求項１】
プリエンプティブ伝送される参照リソースを設定し、時間領域において前記参照リソースをＭ個の部分に分割し、周波数領域において前記参照リソースをＮ個の部分に分割することと、
指示情報により、前記時間領域におけるＭ個の部分および／または周波数領域におけるＮ個の部分においてプリエンプトされたリソースを指示する（Ｍ≧１、Ｎ≧１）ことと、を含み、
前記参照リソースの時間領域に含まれる下りシンボル数は、１４よりも少ない数と、１４よりも多い数との少なくとも一方を含む、リソース指示方法。
【請求項２】
前記参照リソースにおける時間領域は、
上りシンボルを含む１つのスロットと、
上りシンボルを含まない１つのスロットと、
含まれるシンボル数がｘ（１≦ｘ≦１３）である１つのミニスロットと、の少なくとも１つである、請求項１に記載の方法。
【請求項３】
１種以上の時間領域粒度および１種以上の周波数領域粒度を用いて前記参照リソースを分割し、Ｙ個のリソースサブブロックを取得し、分割されたリソースサブブロックに含まれるリソースのサイズは全て同じではなく、Ｙは正の整数である、請求項２に記載の方法。
【請求項４】
１種の時間領域粒度および１種の周波数領域粒度を用いて前記参照リソースを分割し、Ｙ個以下のリソースサブブロックを取得し、分割されたリソースサブブロックに含まれるリソースのサイズが同じであり、前記１種の時間領域粒度および１種の周波数領域粒度は固定値またはシグナリングにより指示され得るものであり、Ｙは正の整数である、請求項２に記載の方法。
【請求項５】
１種の時間領域粒度および１種の周波数領域粒度を用いて前記参照リソースを分割することは、
前記参照リソースに含まれるシンボル数が偶数であるか奇数であるかに基づき、異なる候補粒度セットを選択して前記参照リソースを分割することと、
前記参照リソースに含まれるシンボル数が７よりも大きいか否かに基づき、異なる候補粒度セットを選択して前記参照リソースを分割することと、
前記参照リソースに含まれるシンボル数が偶数であるか奇数であるか、および７よりも大きいか否かに基づき、異なる候補粒度セットを選択して前記参照リソースを分割することと、
前記参照リソースの上りシンボルを含む１４個のシンボルを分割し、分割されたリソースサブブロックにおけるリソースが完全に上りリソースである場合、該リソースサブブロックのｂｉｔを使用しないかまたは保留するように指示することと、の少なくとも1つを含む、請求項４に記載の方法。
【請求項６】
前記候補粒度セットは、｛１ＯＳ，１ＢＷ｝、｛２ＯＳ，１／２ＢＷ｝、｛１ＯＳ，１／２ＢＷ｝の少なくとも１つを含み、ＯＳは直交周波数分割多重シンボルを表し、ＢＷはアクティブ帯域幅パートＢＷＰを表す、請求項５に記載の方法。
【請求項７】
前記参照リソースに含まれるシンボル数ｘがＰよりも大きいか否かに基づき、異なる候補粒度を用いて前記参照リソースを分割してリソースサブブロックを取得することを決定し、Ｐは正の整数であり、１／Ｐ帯域幅は周波数領域の分割粒度である、請求項２に記載の方法。
【請求項８】
０＜ｘ≦７であるとき、１種の粒度を用いて時間領域が１つのシンボル粒度、周波数領域が１／２ＢＷＰである粒度｛１ＯＳ，１／２ＢＷ｝で分割し、Ｙ個以下のリソースサブブロックを取得し、分割されたリソースサブブロックに含まれるリソースのサイズが同じであり、７＜ｘ＜１４であるとき、粒度｛１ＯＳ，１／２ＢＷ｝を用いてそのうちの（１４−ｘ）個のシンボルを分割し、時間領域が１つのシンボル粒度、周波数領域が１ＢＷＰである粒度｛１ＯＳ，１ＢＷ｝を用いてそのうちの（２ｘ−１４）個のシンボルを分割し、Ｙ個のリソースサブブロックを取得し、分割されたリソースサブブロックに含まれるリソースのサイズは完全に同じではなく、Ｙは正の整数である、請求項７に記載の方法。
【請求項９】
前記参照リソースにおける時間領域は、
上りシンボルを含む２つのスロットと、
上りシンボルを含まない２つのスロットと、の少なくとも１つである、請求項１に記載の方法。
【請求項１０】
前記参照リソースの分割方式は、
スロットに上りシンボルが存在せず、分割されたリソースサブブロックがスロット境界を跨ぐことが許容される場合、｛Ｍ，Ｎ｝＝｛１４，１｝または｛７，２｝であるように設定することにより前記参照リソースを分割して１４個のリソースサブブロックを取得し、｛Ｍ，Ｎ｝＝｛１４，１｝および｛Ｍ，Ｎ｝＝｛７，２｝に対応する分割粒度は｛２ＯＳ，１ＢＷ｝および｛４ＯＳ，１／２ＢＷ｝であり、｛２ＯＳ，１ＢＷ｝は、時間領域が２つのシンボル、周波数領域が１ＢＷＰである粒度であり、｛４ＯＳ，１／２ＢＷ｝は、時間領域が４つのシンボル、周波数領域が１／２ＢＷＰである粒度である方式と、
スロットに上りシンボルが存在せず、分割されたリソースサブブロックがスロット境界を跨ぐことが許容されない場合、｛Ｍ，Ｎ｝＝｛１４，１｝であるように設定することにより分割粒度｛２ＯＳ，１ＢＷ｝を用いて前記参照リソースを分割して１４個のリソースサブブロックを取得する方式と、
スロットに上りシンボルが存在せず、分割されたリソースサブブロックがスロット境界を跨ぐことが許容されない場合、｛Ｍ，Ｎ｝＝｛１４，１｝および｛７，２｝であるように設定することにより前記参照リソースを分割して１４個のリソースサブブロックを取得し、｛Ｍ，Ｎ｝＝｛７，２｝であり、２つのスロットにおいてそれぞれ異なる数のリソースサブブロックに分割する方式と、の少なくとも１つを含む、請求項９に記載の方法。
【請求項１１】
前記参照リソースの分割方式は、
スロットに上りシンボルが含まれ、且つ２つのスロットのフォーマットが同じである場合、前記参照リソースをＹ個のリソースサブブロックに分割し、且つ各スロットにいずれも７つのリソースサブブロックが含まれる方式と、
スロットに上りシンボルが含まれ、且つ２つのスロットのフォーマットが同じである場合、前記参照リソースをＹ個のリソースサブブロックに分割し、且つ各スロットにいずれも含まれるリソースサブブロックの数は異なるが、差が２つを超えない方式と、
スロットに上りシンボルが含まれ、且つ２つのスロットのフォーマットが同じである場合、２つのスロットにおいて分割粒度｛１ＯＳ，１ＢＷ｝および／または｛２ＯＳ，１ＢＷ｝に従って前記参照リソースを分割し、Ｙ個以下のリソースサブブロックを取得する方式と、
スロットに上りシンボルが含まれ、且つ２つのスロットのフォーマットが同じである場合、上りシンボルを含む２つのスロットの２８個のシンボルに対して前記参照リソースを分割し、Ｙ個のリソースサブブロックを取得し、リソースサブブロックにおけるリソースが完全に上りリソースである場合、該リソースサブブロックのｂｉｔを使用しないかまたは保留するように指示する（Ｙは正の整数である）方式と、の少なくとも１つを含む、請求項９に記載の方法。
【請求項１２】
前記参照リソースの分割方式は、
スロットに上りシンボルが含まれ、且つ２つのスロットのフォーマットが異なる場合、１つの前記参照リソースにおいて少なくとも１種の時間周波数領域分割粒度を用いてＮ１とＮ２との割合に従って２つのスロットに含まれるリソースサブブロックの数を割り当て、Ｙ個のリソースサブブロックを取得する方式と、
スロットに上りシンボルが含まれ、且つ２つのスロットのフォーマットが異なる場合、１つの前記参照リソースをリソースサブブロックに分割するとき、１種の時間周波数領域粒度のみを用いてＮ１とＮ２との割合に従ってそれぞれのスロットにおけるリソースサブブロックの数を分割し、Ｙ個以下のリソースサブブロックを取得する方式と、
スロットに上りシンボルが含まれ、且つ２つのスロットのフォーマットが異なる場合、上りシンボルを含む２つのスロットの２８個のシンボルに対してＹ個のリソースサブブロックに分割し、リソースサブブロックにおけるリソースが完全に上りリソースである場合、該リソースサブブロックのビットを使用しないかまたは保留するように指示する方式と、の少なくとも１つを含み、
前記参照リソースは、２つのスロットにおいてそれぞれＮ１およびＮ２個のシンボルを有し、Ｙは正の整数である、請求項９に記載の方法。
【請求項１３】
前記参照リソースにおける時間領域は、
上りシンボルを含む２つよりも多いスロットと、
上りシンボルを含まない２つよりも多いスロットと、の少なくとも１つである、請求項１に記載の方法。
【請求項１４】
前記参照リソースの分割方式は、
前記参照リソースをＹ個以下のリソースサブブロックに分割する（Ｙは正の整数である）方式を含む、請求項１３に記載の方法。
【請求項１５】
リソースサブブロックが１４個未満である場合、残りのリソースサブブロックのビットを使用しないかまたは保留するように指示することと、
リソースサブブロックにおけるリソースが完全に上りリソースである場合、該リソースサブブロックのビットを使用しないかまたは保留するように指示することと、の少なくとも１つを更に含む、請求項１４に記載の方法。
【請求項１６】
Ｙ＝１４である、請求項３、４、８、１１、１２または１４に記載の方法。
【請求項１７】
前記プリエンプション指示情報の第１監視周期を決定することと、
前記参照リソースの時間領域を前記第１監視周期の時間領域として決定することと、を更に含む、請求項１に記載の方法。
【請求項１８】
前記プリエンプション指示情報の第１監視周期は、
上位層シグナリングまたは物理層シグナリングにより設定され、且つスロットフォーマット情報ＳＦＩをベアラする第２監視周期と無関係である方式と、
上位層シグナリングまたは物理層シグナリングにより設定され、且つ前記第１監視周期が第２監視周期以下である方式と、
上位層シグナリングまたは物理層シグナリングにより設定され、且つ前記第１監視周期が前記第２監視周期のサブセットである方式と、の１つにより決定される、請求項１７に記載の方法。
【請求項１９】
指示情報を監視する周期が１つのミニスロットであるようにユーザ機器ＵＥを設定し、
参照リソースを、
１つのミニスロットと、
１つのスロットにおける全ての１４個のシンボルと、
上りシンボルを含まない１つのスロットと、
現在の指示情報が位置するミニスロットおよび前の連続したＵ−１個のミニスロットを含む合計１４個のシンボルと、
現在の指示情報が位置するミニスロットを含まないが、隣接する前の連続したＵ個）のミニスロットを含む合計１４個のシンボルと、の少なくとも一方とし、
Ｕは正の整数であり、指示情報が時間領域におけるＭ個の部分および／または周波数領域におけるＮ個の部分においてプリエンプトされたリソースを指示するために用いられ、前記時間領域におけるＭ個の部分は、時間領域において参照リソースをＭ個の部分に分割することにより得られ、Ｎ個の周波数領域は、周波数領域において前記参照リソースをＮ個の部分に分割することにより得られる、リソース指示方法。
【請求項２０】
ユーザ機器ＵＥが指示情報を受信すると、バッファをリフレッシュすることを含み、
バッファをリフレッシュすることは、
指示情報および指定情報を受信すると、指示情報により指示されたリソースに従ってバッファをリフレッシュする方式と、
指示情報および指定情報を受信すると、指定情報による指示に従ってバッファをリフレッシュする方式と、
指示情報および指定情報を受信すると、指定情報によりバッファをリフレッシュしないことが指示される場合、指示情報ＰＩにより指示されたリソースに従ってバッファをリフレッシュし、指定情報によりバッファをリフレッシュすることが指示される場合、指定情報による指示に従ってバッファをリフレッシュする方式と、
指示情報および指定情報を受信すると、指定情報によりバッファをリフレッシュしないことが指示される場合、バッファをリフレッシュせず、指定情報によりバッファをリフレッシュすることが指示される場合、指示情報で指示されたリソースに従ってバッファをリフレッシュし、前記指定情報は、全てのシンボルブロックグループＣＢＧに対応するリソースに対してバッファをリフレッシュするか否かを指示するために用いられ、指示情報は、時間領域におけるＭ個の部分および／または周波数領域におけるＮ個の部分においてプリエンプトされたリソースを指示するために用いられ、前記時間領域におけるＭ個の部分は、時間領域において参照リソースをＭ個の部分に分割することにより得られ、Ｎ個の周波数領域は、周波数領域において前記参照リソースをＮ個の部分に分割することにより得られる方式と、の少なくとも１つを含む、リソース指示方法。
【請求項２１】
プリエンプティブ伝送される参照リソースを設定し、時間領域において前記参照リソースをＭ個の部分に分割し、周波数領域において前記参照リソースをＮ個の部分に分割するように構成される設定モジュールと、
指示情報により、前記時間領域におけるＭ個の部分および／または周波数領域におけるＮ個の部分においてプリエンプトされたリソースを指示する（Ｍ≧１、Ｎ≧１）ように構成される指示モジュールと、を備え、
前記参照リソースの時間領域に含まれる下りシンボル数は、１４よりも少ない数と、１４よりも多い数との少なくとも一方を含む、リソース指示装置。
【請求項２２】
実行されると請求項１から１８のいずれか１項に記載の方法、請求項１９に記載の方法、および／または請求項２０に記載の方法を実行するプログラムが記憶された、記憶媒体。
【請求項２３】
実行されると請求項１から１８のいずれか１項に記載の方法、請求項１９に記載の方法、および／または請求項２０に記載の方法を実行するプログラムを実行するためのプロセッサ。
【発明の詳細な説明】
【技術分野】
【０００１】
本願は、出願番号が２０１７１１１４８８７７．５、出願日が２０１７年１１月１７日である中国特許出願に基づいた出願であり、該中国特許出願について優先権の利益を主張し、該中国特許出願の内容を引用により本願に援用する。
【０００２】
本発明は、通信分野に関し、具体的には、リソース指示方法、装置、記憶媒体およびプロセッサに関する。
【背景技術】
【０００３】
関連技術における第４世代移動通信技術（４Ｇ、ｔｈｅ  ４ｔｈ  Ｇｅｎｅｒａｔｉｏｎ  ｍｏｂｉｌｅ  ｃｏｍｍｕｎｉｃａｔｉｏｎ  ｔｅｃｈｎｏｌｏｇｙ）ロングタームイボリューション（ＬＴＥ、Ｌｏｎｇ−Ｔｅｒｍ  Ｅｖｏｌｕｔｉｏｎ）／ロングタームイボリューション−アドバンスト（ＬＴＥ−Ａｄｖａｎｃｅ／ＬＴＥ−Ａ、Ｌｏｎｇ−Ｔｅｒｍ  Ｅｖｏｌｕｔｉｏｎ  Ａｄｖａｎｃｅ）および第５世代移動通信技術（５Ｇ、ｔｈｅ  ５ｔｈ  Ｇｅｎｅｒａｔｉｏｎ  ｍｏｂｉｌｅ  ｃｏｍｍｕｎｉｃａｔｉｏｎ  ｔｅｃｈｎｏｌｏｇｙ）に対する要求はますます多くなる。現在の発展傾向から見ると、４Ｇおよび５Ｇシステムは、いずれも拡張モバイルブロードバンド、低遅延で信頼性の高い伝送、大容量接続をサポートする特徴が研究されている。
【０００４】
関連技術において、低遅延で信頼性の高い伝送の特性をサポートするために、短い伝送時間で低遅延かつ信頼性の高いトラフィックを伝送する必要があるとともに、他の長い伝送時間を有するトラフィック伝送の過程において、一部のリソースプロセスをプリエンプトして伝送することができる。長い伝送時間を有するトラフィックの性能への影響をできるだけ低減するために、受信側にプリエンプトされたリソースを指示する必要があり、このとき、受信側が長い伝送時間を有するトラフィックを受信して復調するとき、誤りデータを除去し、更に大量の再送データおよび誤りデータの累積と広がりを回避し、プリエンプトされたリソースのみを伝送することができる。
【０００５】
関連技術において、設定された下り参照リソースに１４個のシンボルのみが含まれるシーンでは、｛Ｍ，Ｎ｝＝｛１４，１｝または｛７，２｝で１４個のブロックに分割する方式が決定されており、Ｍは時間領域において下り参照リソースを分割したブロックの数を表し、Ｎは周波数領域において下り参照リソースを分割したブロックの数を表し、両者の積が１４である。プリエンプトされたか否かを１４個のブロックに指示することにより、ＵＥにプリエンプトされたリソースの情報を通知する。しかし、下り参照リソースに１４未満のシンボルが含まれ、および１４よりも多いシンボル数が含まれるシーンでは、良好な設定方法は存在しないため、端末にタイムリーに指示することができない。
【０００６】
関連技術に存在する上記問題について、現在、有効な解決策は未だ見出されていない。
【発明の概要】
【発明が解決しようとする課題】
【０００７】
本発明の実施例は、少なくとも、トラフィックがリソースをプリエンプトして伝送する場合にプリエンプトされたリソースを効果的に指示できないという関連技術における問題を解決するためのリソース指示方法、装置、コンピュータ記憶媒体およびプロセッサを提供する。
【課題を解決するための手段】
【０００８】
本発明の一実施例によれば、プリエンプティブ伝送される参照リソースを設定し、時間領域において前記参照リソースをＭ個の部分に分割し、周波数領域において前記参照リソースをＮ個の部分に分割することと、指示情報により、前記時間領域におけるＭ個の部分および／または周波数領域におけるＮ個の部分においてプリエンプトされたリソースを指示する（Ｍ≧１、Ｎ≧１）こととを含み、前記参照リソースの時間領域に含まれる下りシンボル数は、１４よりも少ない数と、１４よりも多い数との少なくとも一方を含むリソース指示方法を提供する。
【０００９】
本発明の一実施例によれば、指示情報を監視する周期が１つのミニスロットであるようにユーザ機器ＵＥを設定し、参照リソースを、１つのミニスロットと、１つのスロットにおける全ての１４個のシンボルと、上りシンボルを含まない１つのスロットと、現在の指示情報が位置するミニスロットおよび前の連続したＵ−１個のミニスロットを含む合計１４個のシンボルと、現在の指示情報が位置するミニスロットを含まないが、隣接する前の連続したＵ個のミニスロットを含む合計１４個のシンボルとの少なくとも一方とし、Ｕは正の整数であり、指示情報が時間領域におけるＭ個の部分および／または周波数領域におけるＮ個の部分においてプリエンプトされたリソースを指示するために用いられ、前記時間領域におけるＭ個の部分は、時間領域において参照リソースをＭ個の部分に分割することにより得られ、Ｎ個の周波数領域は、周波数領域において前記参照リソースをＮ個の部分に分割することにより得られるリソース指示方法を提供する。
【００１０】
本発明の一実施例によれば、
ユーザ機器ＵＥが指示情報を受信すると、バッファをリフレッシュすることを含み、
バッファをリフレッシュすることは、
指示情報および指定情報を受信すると、指示情報により指示されたリソースに従ってバッファをリフレッシュする方式と、
指示情報および指定情報を受信すると、指定情報による指示に従ってバッファをリフレッシュする方式と、
指示情報および指定情報を受信すると、指定情報によりバッファをリフレッシュしないことが指示される場合、ＰＩにより指示されたリソースに従ってバッファをリフレッシュし、指定情報によりバッファをリフレッシュすることが指示される場合、指定情報による指示に従ってバッファをリフレッシュする方式と、
指示情報および指定情報を受信すると、指定情報によりバッファをリフレッシュしないことが指示される場合、バッファをリフレッシュせず、指定情報によりバッファをリフレッシュすることが指示される場合、指示情報により指示されたリソースに従ってバッファをリフレッシュし、前記指定情報は、全てのＣＢＧに対応するリソースに対してバッファをリフレッシュするか否かを指示するために用いられ、指示情報は、時間領域におけるＭ個の部分および／または周波数領域におけるＮ個の部分においてプリエンプトされたリソースを指示するために用いられ、前記時間領域におけるＭ個の部分は、時間領域において参照リソースをＭ個の部分に分割することにより得られ、Ｎ個の周波数領域は、周波数領域において前記参照リソースをＮ個の部分に分割することにより得られる方式と、の少なくとも１つを含む、
リソース指示方法を提供する。
【００１１】
本発明の別の実施例によれば、プリエンプティブ伝送される参照リソースを設定し、時間領域において前記参照リソースをＭ個の部分に分割し、周波数領域において前記参照リソースをＮ個の部分に分割するように構成される設定モジュールと、指示情報により、前記時間領域におけるＭ個の部分および／または周波数領域におけるＮ個の部分においてプリエンプトされたリソースを指示する（Ｍ≧１、Ｎ≧１）ように構成される指示モジュールとを備え、前記参照リソースの時間領域に含まれる下りシンボル数は、１４よりも少ない数と、１４よりも多い数との少なくとも一方を含むリソース指示装置を提供する。
【００１２】
本発明の更なる実施例によれば、実行されると上記いずれか１項に記載の方法を実行するプログラムが記憶された記憶媒体を更に提供する。
【００１３】
本発明の更なる実施例によれば、実行されると上記いずれか１項に記載の方法を実行するプログラムを実行するためのプロセッサを更に提供する。
【発明の効果】
【００１４】
本発明の実施例により、参照リソースの時間領域に含まれる下りシンボル数が１４ではない場合を設定することにより、トラフィックがリソースをプリエンプトして伝送する場合にプリエンプトされたリソースを効果的に指示できないという関連技術における問題を解決し、通信システムのトラフィック性能およびリソース利用率を向上させる。
【００１５】
ここで説明する図面は、本発明に対する更なる理解を提供するためのものであり、本願の一部を構成し、本発明の模式的な実施例およびその説明は、本発明を解釈するためのものであり、本発明を不当に限定するものではない。
【図面の簡単な説明】
【００１６】
【図１】本発明の実施例によるリソース指示方法のフローチャートである。
【図２】本発明の実施例によるリソース指示装置の構造ブロック図である。
【図３】本実施形態のプリエンプティブ伝送される模式図である。
【図４】本実施形態における１４未満のシンボルの場合にリソースサブブロックの分割模式図である。
【図５】本実施形態におけるリソースサブブロックの分割模式図である。
【図６】本実施形態における下り参照リソースが２ｓｌｏｔである場合のリソースサブブロックの分割模式図１である。
【図７】本実施形態における下り参照リソースが２ｓｌｏｔである場合のリソースサブブロックの分割模式図２である。
【図８】本実施形態における下り参照リソースが２ｓｌｏｔである場合のリソースサブブロックの分割模式図３である。
【発明を実施するための形態】
【００１７】
以下、図面および実施例を参照しながら本発明について詳細に説明する。なお、矛盾しない限り、本願に係る実施例および実施例における特徴は、互いに任意に組み合わせることができる。
【００１８】
なお、本発明の明細書、特許請求の範囲、および上記図面における「第１」、「第２」等の用語は、類似する対象を区別するためのものであり、特定の順序または優先順位を記述するために用いる必要わけではない。
【００１９】
実施例１
本実施例において、リソース指示方法を提供し、図１は、本発明の実施例によるリソース指示方法のフローチャートであり、図１に示すように、該フローは以下のステップを含む。
【００２０】
ステップＳ１０２において、プリエンプティブ伝送される参照リソースを設定し、時間領域において前記参照リソースをＭ個の部分に分割し、周波数領域において前記参照リソースをＮ個の部分に分割する。
【００２１】
ステップＳ１０４において、指示情報により、前記時間領域におけるＭ個の部分および／または周波数領域におけるＮ個の部分においてプリエンプトされたリソースを指示し、Ｍ≧１であり、Ｎ≧１であり、参照リソースの時間領域に含まれる下りシンボル数は、１４よりも少ない数と、１４よりも多い数との少なくとも一方を含む。
【００２２】
上記ステップにより、参照リソースの時間領域に含まれる下りシンボル数が１４ではない場合（１４よりも少ないおよび／または１４よりも多い場合）を設定することにより、トラフィックがリソースをプリエンプトして伝送する場合にプリエンプトされたリソースを効果的に指示できないという関連技術における問題を解決し、通信システムのトラフィック性能およびリソース利用率を向上させる。
【００２３】
好ましくは、上記ステップの実行主体は、基地局等のようなネットワーク側であってもよく、これに限定されない。
【００２４】
本実施例において、参照リソースは下り参照リソースであってもよいが、これに限定されず、上り参照リソースであってもよい。本実施例は下り参照リソースを例として説明する。なお、前記参照リソースに対応するのは時間周波数領域リソースであり、すなわち、時間領域リソースおよび周波数領域リソースにより前記参照リソースを定義する。
【００２５】
好ましくは、前記参照リソースにおける時間領域は、上りシンボルを含む１つのスロット（ｓｌｏｔ）と、上りシンボルを含まない１つのｓｌｏｔと、１つのミニスロット（ｍｉｎｉ−ｓｌｏｔまたはｎｏｎ−ｓｌｏｔ）との少なくとも１つであり、１≦参照リソースに含まれるシンボル数ｘ≦１３である。
【００２６】
好ましくは、１種以上の時間領域粒度および１種以上の周波数領域粒度を用いて前記参照リソースを分割し、Ｙ個のリソースサブブロックを取得し、分割されたリソースサブブロックに含まれるリソースのサイズは全て同じではなく、Ｙは正の整数である。
【００２７】
好ましくは、１種の時間領域粒度および１種の周波数領域粒度を用いて前記参照リソースを分割し、Ｙ個以下のリソースサブブロックを取得し、分割されたリソースサブブロックに含まれるリソースのサイズが同じであり、前記１種の時間領域粒度および１種の周波数領域粒度は固定値またはシグナリングにより指示され得るものであり、Ｙは正の整数である。
【００２８】
好ましくは、１種の時間領域粒度および１種の周波数領域粒度を用いて前記参照リソースを分割することは、前記参照リソースに含まれるシンボル数が偶数であるか奇数であるかに基づき、異なる候補粒度セットを選択して前記参照リソースを分割することと、前記参照リソースに含まれるシンボル数が７よりも大きいか否かに基づき、異なる候補粒度セットを選択して前記参照リソースを分割することと、前記参照リソースに含まれるシンボル数が偶数であるか奇数であるか、および７よりも大きいか否かに基づき、異なる候補粒度セットを選択して前記参照リソースを分割することと、前記参照リソースの上りシンボルを含む１４個のシンボルを分割し、分割されたリソースサブブロックにおけるリソースが完全に上りリソースである場合、該リソースサブブロックのビット（ｂｉｔ）を使用しないかまたは保留するように指示することとの少なくとも１つを含む。好ましくは、前記候補粒度セットは、｛１ＯＳ，１ＢＷ｝、｛２ＯＳ，１／２ＢＷ｝、｛１ＯＳ，１／２ＢＷ｝の少なくとも１つを含む。
【００２９】
好ましくは、前記参照リソースに含まれるシンボル数ｘがＰよりも大きいか否かに基づき、異なる候補粒度を用いて前記参照リソースを分割してリソースサブブロックを取得することを決定し、Ｐは正の整数である。
【００３０】
好ましくは、０＜ｘ≦７であるとき、１種の粒度｛１ＯＳ，１／２ＢＷ｝を用いて分割し、Ｙ個以下のリソースサブブロックを取得し、分割されたリソースサブブロックに含まれるリソースのサイズが同じであり、７＜ｘ＜１４であるとき、粒度｛１ＯＳ，１／２ＢＷ｝を用いてそのうちの（１４−ｘ）個のシンボルを分割し、粒度｛１ＯＳ，１ＢＷ｝を用いてそのうちの（２ｘ−１４）個のシンボルを分割し、Ｙ個のリソースサブブロックを取得し、分割されたリソースサブブロックに含まれるリソースのサイズは完全に同じではなく、Ｙは正の整数である。
【００３１】
好ましくは、前記参照リソースにおける時間領域は、上りシンボルを含む２つのスロットと、上りシンボルを含まない２つのスロットとの少なくとも１つである。
【００３２】
好ましくは、前記参照リソースの分割方式は、
スロットに上りシンボルが存在せず、分割されたリソースサブブロックがスロット境界を跨ぐことが許容される場合、｛Ｍ，Ｎ｝＝｛１４，１｝または｛７，２｝であるように設定することにより前記参照リソースを分割して１４個のリソースサブブロックを取得する方式であって、｛Ｍ，Ｎ｝＝｛１４，１｝および｛Ｍ，Ｎ｝＝｛７，２｝に対応する分割粒度は｛２ＯＳ，１ＢＷ｝および｛４ＯＳ，１／２ＢＷ｝である方式と、
スロットに上りシンボルが存在せず、分割されたリソースサブブロックがスロット境界を跨ぐことが許容されない場合、｛Ｍ，Ｎ｝＝｛１４，１｝であるように設定することにより分割粒度｛２ＯＳ，１ＢＷ｝を用いて前記参照リソースを分割して１４個のリソースサブブロックを取得する方式と、
スロットに上りシンボルが存在せず、分割されたリソースサブブロックがスロット境界を跨ぐことが許容されない場合、｛Ｍ，Ｎ｝＝｛１４，１｝および｛７，２｝であるように設定することにより前記参照リソースを分割して１４個のリソースサブブロックを取得する方式であって、｛Ｍ，Ｎ｝＝｛７，２｝であり、２つのスロットにおいてそれぞれ異なる数のリソースサブブロックに分割する方式と、の少なくとも１つを含む。
【００３３】
好ましくは、前記参照リソースの分割方式は、
スロットに上りシンボルが含まれ、且つ２つのスロットのフォーマットが同じである場合、前記参照リソースをＹ個のリソースサブブロックに分割し、且つ各スロットにいずれも７つのリソースサブブロックが含まれる方式と、
スロットに上りシンボルが含まれ、且つ２つのスロットのフォーマットが同じである場合、前記参照リソースをＹ個のリソースサブブロックに分割し、且つ各スロットにいずれも含まれるリソースサブブロックの数は異なるが、差が２つを超えない方式と、
スロットに上りシンボルが含まれ、且つ２つのスロットのフォーマットが同じである場合、２つのスロットにおいて分割粒度｛１ＯＳ，１ＢＷ｝および／または｛２ＯＳ，１ＢＷ｝に従って前記参照リソースを分割し、Ｙ個以下のリソースサブブロックを取得する方式と、
スロットに上りシンボルが含まれ、且つ２つのスロットのフォーマットが同じである場合、上りシンボルを含む２つのスロットの２８個のシンボルに対して前記参照リソースを分割し、Ｙ個のリソースサブブロックを取得し、リソースサブブロックにおけるリソースが完全に上りリソースである場合、該リソースサブブロックのｂｉｔを使用しないかまたは保留するように指示する（Ｙは正の整数である）方式と、少なくとも１つを含む。
【００３４】
好ましくは、前記参照リソースの分割方式は、
スロットに上りシンボルが含まれ、且つ２つのスロットのフォーマットが異なる場合、１つの前記参照リソースにおいて少なくとも１種の時間周波数領域分割粒度を用いてＮ１とＮ２との割合に従って２つのスロットに含まれるリソースサブブロックの数を割り当て、Ｙ個のリソースサブブロックを取得する方式と、
スロットに上りシンボルが含まれ、且つ２つのスロットのフォーマットが異なる場合、１つの前記参照リソースをリソースサブブロックに分割するとき、１種の時間周波数領域粒度のみを用いてＮ１とＮ２との割合に従ってそれぞれのスロットにおけるリソースサブブロックの数を分割し、Ｙ個以下のリソースサブブロックを取得する方式と、
スロットに上りシンボルが含まれ、且つ２つのスロットのフォーマットが異なる場合、上りシンボルを含む２つのスロットの２８個のシンボルに対してＹ個のリソースサブブロックに分割し、リソースサブブロックにおけるリソースが完全に上りリソースである場合、該リソースサブブロックのｂｉｔを使用しないかまたは保留するように指示する方式との少なくとも１つを含む。
前記参照リソースは、２つのスロットにおいてそれぞれＮ１およびＮ２個のシンボルを有し、Ｙは正の整数である。
【００３５】
好ましくは、前記参照リソースにおける時間領域は、上りシンボルを含む２つよりも多いスロットと、上りシンボルを含まない２つよりも多いスロットとの少なくとも１つである。
【００３６】
好ましくは、前記参照リソースの分割方式は、前記参照リソースをＹ個以下のリソースサブブロックに分割する方式を含み、Ｙは正の整数である。
【００３７】
好ましくは、リソースサブブロックが１４個未満である場合、残りのリソースサブブロックのｂｉｔを使用しないかまたは保留するように指示することと、リソースサブブロックにおけるリソースが完全に上りリソースである場合、該リソースサブブロックのｂｉｔを使用しないかまたは保留するように指示することとの少なくとも１つを更に含む。
上記態様において、Ｙ＝１４である。
【００３８】
好ましくは、前記方法は、前記プリエンプション指示情報の第１監視周期を決定することと、前記参照リソースの時間領域を前記第１監視周期の時間領域として決定することとを更に含む。
【００３９】
好ましくは、前記プリエンプション指示情報の第１監視周期は、上位層シグナリングまたは物理層シグナリングにより設定され、且つスロットフォーマット情報ＳＦＩをベアラする第２監視周期と無関係である方式と、上位層シグナリングまたは物理層シグナリングにより設定され、且つ前記第１監視周期が第２監視周期以下である方式と、上位層シグナリングまたは物理層シグナリングにより設定され、且つ前記第１監視周期が前記第２監視周期のサブセットである方式との１つにより決定される。
【００４０】
本実施例は、
指示情報を監視する周期が１つのミニスロットであるようにユーザ機器ＵＥを設定し、参照リソースを、
１つのミニスロットと
１つのスロットにおける全ての１４個のシンボルと、
上りシンボルを含まない１つのスロットと、
現在の指示情報が位置するミニスロットおよび前の連続したＵ−１個のミニスロットを含む合計１４個のシンボルと、
現在の指示情報が位置するミニスロットを含まないが、隣接する前の連続したＵ個のミニスロットを含む合計１４個のシンボルと、の少なくとも1つとするリソース指示方法であって、
Ｕは正の整数であり、指示情報が時間領域におけるＭ個の部分および／または周波数領域におけるＮ個の部分においてプリエンプトされたリソースを指示するために用いられ、前記時間領域におけるＭ個の部分は、時間領域において参照リソースをＭ個の部分に分割することにより得られ、Ｎ個の周波数領域は、周波数領域において前記参照リソースをＮ個の部分に分割することにより得られる別のリソース指示方法を提供する。
【００４１】
本実施例は、
ユーザ機器ＵＥが指示情報を受信すると、バッファをリフレッシュすることを含むリソース指示方法であって、
バッファをリフレッシュすることは、
指示情報および指定情報を受信すると、指示情報により指示されたリソースに従ってバッファをリフレッシュする方式と、
指示情報および指定情報を受信すると、指定情報による指示に従ってバッファをリフレッシュする方式と、
指示情報および指定情報を受信すると、指定情報によりバッファをリフレッシュしないことが指示される場合、ＰＩにより指示されたリソースに従ってバッファをリフレッシュし、指定情報によりバッファをリフレッシュすることが指示されるる場合、指定情報による指示に従ってバッファをリフレッシュする方式と、
指示情報および指定情報を受信すると、指定情報によりバッファをリフレッシュしないことが指示される場合、バッファをリフレッシュせず、指定情報によりバッファをリフレッシュすることが指示される場合、指示情報により指示されたリソースに従ってバッファをリフレッシュする方式であって、前記指定情報は、全てのＣＢＧに対応するリソースに対してバッファをリフレッシュするか否かを指示するために用いられ、指示情報は、時間領域におけるＭ個の部分および／または周波数領域におけるＮ個の部分においてプリエンプトされたリソースを指示するために用いられ、前記時間領域におけるＭ個の部分は、時間領域において参照リソースをＭ個の部分に分割することにより得られ、Ｎ個の周波数領域は、周波数領域において前記参照リソースをＮ個の部分に分割することにより得られる方式との少なくとも１つを含む更なるリソース指示方法を提供する。
【００４２】
以上の実施形態の説明により、当業者は、上記実施例による方法がソフトウェアと必要な汎用ハードウェアプラットフォームとを併用する方式を介して実現でき、もちろん、ハードウェアにより実現できるが、多くの場合、前者の方がより好ましい実施形態であることを明らかに理解できる。このような理解に基づき、本発明の技術案は、本質的または関連技術に貢献する部分がソフトウェア製品の形態で具現化でき、該コンピュータソフトウェア製品が１つの記憶媒体（例えば、ＲＯＭ／ＲＡＭ、磁気ディスク、光ディスク）に記憶され、１台の端末装置（携帯電話機、コンピュータ、サーバ、またはネットワーク機器等であり得る）に本発明の各実施例に記載の方法を実行させるための複数の命令を含む。
【００４３】
実施例２
本実施例において、上記実施例および好ましい実施形態を実現するためのリソース指示装置を更に提供し、既に説明したものを省略する。以下に使用されるように、「モジュール」という用語は、所定の機能を持つソフトウェアおよび／またはハードウェアの組み合わせを実現できる。以下の実施例に説明する装置は、ソフトウェアとして実現することが好ましいが、ハードウェアまたはソフトウェアとハードウェアとの組み合わせとして実現することも可能で想像され得る。
【００４４】
図２は、本発明の実施例によるリソース指示装置の構造ブロック図であり、図２に示すように、該装置は、
プリエンプティブ伝送される参照リソースを設定し、時間領域において参照リソースをＭ個の部分に分割し、周波数領域において参照リソースをＮ個の部分に分割するように構成される設定モジュール２０と、
指示情報により、前記時間領域におけるＭ個の部分および／または周波数領域におけるＮ個の部分においてプリエンプトされたリソースを指示する（Ｍ≧１、Ｎ≧１）ように構成される指示モジュール２２と、
を備え、
前記参照リソースの時間領域に含まれる下りシンボル数は、１４よりも少ない数と、１４よりも多い数との少なくとも一方を含む。
【００４５】
なお、上記各モジュールは、ソフトウェアまたはハードウェアにより実現でき、後者の場合、上記モジュールがいずれも同一のプロセッサに位置する方式、または、上記各モジュールが任意の組み合わせの形態でそれぞれ異なるプロセッサに位置する方式により実現できるが、これに限定されない。
【００４６】
実施例３
本実施例は、本願による好ましい実施例であり、異なるシーンでの実施形態を結び付けて本願について詳細に説明するために用いられる。
【００４７】
下り参照リソース領域に対応する時間領域が上りシンボルを含む１つのｓｌｏｔである場合、または下り参照リソース領域に対応する時間領域が複数の直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルである場合、リソースサブブロックの分割方式は以下の少なくとも１つを含む。
【００４８】
方法１：依然として１４個のリソースサブブロックに分割する。具体的には、１つの下り参照リソース領域において分割するとき、１種以上の時間領域粒度および１種以上の周波数領域粒度を用いる。分割されたリソースサブブロックに含まれるリソースのサイズは全て同じではない。
【００４９】
方法２：１４個以下のリソースサブブロックに分割する。具体的には、１つの下り参照リソース領域において分割するとき、１種の時間領域粒度および１種の周波数領域粒度を用いる。分割されたリソースサブブロックに含まれるリソースのサイズが同じである。方法２は、以下の少なくとも１つを更に含む。
【００５０】
方法２−１：下り参照リソースに含まれるシンボル数が偶数であるか奇数であるかに基づき、異なる候補粒度セットを選択してリソースサブブロックの分割を行う。
【００５１】
方法２−２：下り参照リソースに含まれるシンボル数が７よりも大きいか否かに基づき、異なる候補粒度セットを選択してリソースサブブロックの分割を行う。
【００５２】
方法２−３：まず、下り参照リソースに含まれるシンボル数が偶数であるか奇数であるかに基づき、異なる候補粒度セットを選択してリソースサブブロックの分割を行い、次に、下り参照リソースに含まれるシンボル数が奇数である場合、更に７よりも大きいか否かに基づき、異なる候補粒度セットを選択してリソースサブブロックの分割を行う。
【００５３】
方法２−４：｛Ｍ，Ｎ｝＝｛１４，１｝または｛７，２｝で上りシンボルを含む合計１４個のシンボルを共に１４個のリソースサブブロックに分割し、リソースサブブロックにおけるリソースが完全に上りリソースである場合、該リソースサブブロックのｂｉｔを使用しないかまたは保留するように指示すれば良い。
【００５４】
前記下り参照リソース領域に対応する時間領域が２つのｓｌｏｔである場合、リソースサブブロックの分割方式は以下の少なくとも１つ含む。
【００５５】
方式１：ｓｌｏｔに上りシンボルが存在せず、分割されたリソースサブブロックがｓｌｏｔ境界を跨ぐことが許容される場合、｛Ｍ，Ｎ｝＝｛１４，１｝または｛７，２｝で分割した後、１４個のリソースサブブロックを取得することができ、このとき、それぞれ使用する分割粒度が｛２ＯＳ，１ＢＷ｝または｛４ＯＳ，１／２ＢＷ｝であり、分割されたリソースサブブロックがｓｌｏｔ境界を跨ぐことが許容されない場合、｛Ｍ，Ｎ｝＝｛１４，１｝のみを設定し、すなわち、採用する分割粒度が｛２ＯＳ，１ＢＷ｝であり、または｛Ｍ，Ｎ｝＝｛１４，１｝および｛７，２｝がいずれも設定可能であり、｛Ｍ，Ｎ｝＝｛７，２｝の場合、２つのｓｌｏｔにおいてそれぞれ異なる数のリソースサブブロックに分割する。
【００５６】
方式２：ｓｌｏｔに上りシンボルが含まれ、且つ２つのｓｌｏｔのフォーマットが同じである。下り参照リソース（ＤＬ  ｒｅｆｅｒｅｎｃｅ  ｒｅｓｏｕｒｃｅ）が各ｓｌｏｔにおいてＮ個のシンボルを有する。このとき、リソースサブブロックに分割するとき、以下のような方法の１つを採用することができる。方法１：１４個のリソースサブブロックに分割し、且つ各ｓｌｏｔにいずれも７つのリソースサブブロックが含まれる。方法２：１４個のリソースサブブロックに分割し、且つ各ｓｌｏｔにいずれも含まれるリソースサブブロックの数の差が２つを超えない。方法３：１４個以下のリソースサブブロックに分割し、２つのｓｌｏｔを粒度｛１ＯＳ，１ＢＷ｝および／または｛２ＯＳ，１ＢＷ｝のみで分割し、１４未満のｓｕｂ−ｂｌｏｃｋｓ（リソースサブブロック）である場合、残りのプリエンプション指示／パンチング指示（Ｐｒｅ−ｅｍｐｔｉｏｎ  Ｉｎｄｉｃａｔｉｏｎ、ＰＩ）がｂｉｔを保留して使用しないように指示すればよい。方法４：｛Ｍ，Ｎ｝＝｛１４，１｝または｛７，２｝で上りシンボルを含む２つのｓｌｏｔの合計２８個のシンボルを共に１４個のリソースサブブロックに分割し、リソースサブブロックにおけるリソースが完全に上りリソースである場合、該リソースサブブロックのｂｉｔを使用しないかまたは保留するように指示すればよい。このとき、分割方法は方式１における方法と同様である。
【００５７】
方式３：ｓｌｏｔに上りシンボルが含まれ、且つ２つのｓｌｏｔのフォーマットが異なる。下り参照リソース（ＤＬ  ｒｅｆｅｒｅｎｃｅ  ｒｅｓｏｕｒｃｅ）が２つのｓｌｏｔにおいてそれぞれＮ１およびＮ２個のシンボルを有する。このとき、リソースサブブロックに分割するとき、以下のような方法の１つを採用することができる。方法１：１４個のリソースサブブロックに分割する。Ｎ１とＮ２との割合に従って２つのｓｌｏｔに含まれるリソースサブブロックの数を割り当てる。１つの下り参照リソースをリソースサブブロックに分割するとき、少なくとも１種の時間周波数領域粒度を使用する。方法２：１４個以下のリソースサブブロックに分割する。すなわち、Ｎ１とＮ２との割合に従ってそれぞれのｓｌｏｔにおけるｓｕｂ−ｂｌｏｃｋ数を分割し、２つの和が１４を超えない。１つの下り参照リソースをリソースサブブロックに分割するとき、１種の時間周波数領域粒度のみを使用する。方法３：上りシンボルを含む２つのｓｌｏｔの合計２８個のシンボルを共に｛Ｍ，Ｎ｝＝｛１４，１｝または｛７，２｝で１４個のリソースサブブロックに分割し、リソースサブブロックにおけるリソースが完全に上りリソースである場合、該リソースサブブロックのｂｉｔを使用しないかまたは保留するように指示すればよい。このとき、分割方法は方式１における方法と同様である。
【００５８】
前記下り参照リソース領域に対応する時間領域が２つよりも多いｓｌｏｔであり、リソースサブブロックに分割するとき、分割されたリソースサブブロックの数が１４個以下であることを原則とする。１４個未満である場合、残りの指示ｂｉｔを使用しないかまたは保留すればよい。このとき、より大きい粒度を用いて分割すればよい。
【００５９】
本実施例は、以下の複数の実施形態を更に含む。
【００６０】
実施形態１
基地局が時間長の短い低遅延で信頼性の高い通信（ＵＲＬＬＣ）トラフィックを送信するために使用するリソースは、既に拡張モバイルブロードバンド（ｅＭＢＢ）トラフィックに割り当てられたリソースをプリエンプティブするものである。プリエンプション指示情報を送信することにより、リソースがプリエンプトされた端末に設定された下り参照リソース領域においてどのリソースがプリエンプトされたかを通知する。
【００６１】
ここで、下り参照リソース領域に対応する周波数領域は、端末のアクティブ下り（Ｄｏｗｎ  Ｌｉｎｋ、ＤＬ）帯域幅パート（Ｂａｎｄｗｉｄｔｈ  ｐａｒｔ、ＢＷＰ）であり、対応する時間領域は設定可能であり、スロットｓｌｏｔの整数倍であってもよく、複数のＯＦＤＭシンボルであってもよい。
【００６２】
前記下り参照リソース領域に対応する時間領域が１つのｓｌｏｔである場合、時間領域におけるＭ個の部分および周波数領域におけるＮ個の部分に分割することができ、候補の｛Ｍ，Ｎ｝が｛１４，１｝または｛７，２｝であり、且つ上位層シグナリングによりその１つを設定する。
【００６３】
１つのｓｌｏｔの１４個のＯＦＤＭシンボルが全て下りシンボルであるか、または下りシンボルおよびｕｎｋｎｏｗｎシンボルである場合、このとき、下り参照リソース領域は時間領域において１４個のＯＦＤＭシンボルであり、｛Ｍ，Ｎ｝＝｛１４，１｝または｛７，２｝で分割した後、１４個のリソースサブブロックを取得することができ、各リソースサブブロックは、１ｂｉｔによりプリエンプトされたか否かを指示する。図３は、本実施形態のプリエンプティブ伝送の模式図であり、図３（Ａ）と図３（Ｂ）との２つの部分を含み、図３における図３（Ａ）に示すように、｛Ｍ，Ｎ｝＝｛７，２｝で分割し、使用する分割粒度は｛２ＯＳ，１／２ＢＷ｝であり、１４個のリソースサブブロックにおける４つ目（まず周波数領域、次に時間領域の順で１４個のリソースサブブロックを番号付けると仮定する）がプリエンプトされ、すなわち、０００１００００００００００と指示される。図３における図３（Ｂ）に示すように、｛Ｍ，Ｎ｝＝｛１４，１｝で分割し、使用する分割粒度が｛１ＯＳ，１ＢＷ｝であり、１４個のリソースサブブロックにおける３つ目、４つ目、５つ目（まず周波数領域、次に時間領域の順で１４個のリソースサブブロックを番号付けると仮定する）がプリエンプトされ、すなわち、００１１１０００００００００と指示される。ここで、「０」がプリエンプトされていないことを表し、「１」がプリエンプトされたことを表すと仮定する。なお、分割粒度｛２ＯＳ、１／２ＢＷ｝におけるＯＳは、ＯＦＤＭ  ｓｙｍｂｏｌ（ＯＦＤＭシンボル）を表し、ＢＷは帯域幅（ｂａｎｄｗｉｄｔｈ）を表し、このとき、ＢＷはアクティブＤＬ  ＢＷＰ（下り帯域幅パート）であることが好ましい。
【００６４】
１つのｓｌｏｔの１４個のＯＦＤＭシンボルに上りＯＦＤＭシンボルが存在する場合、このとき、下り参照リソース領域は時間領域において１４個未満のＯＦＤＭシンボルを有し、また、リソースサブブロックに分割するとき、時間領域粒度が最小で１つのＯＦＤＭシンボルであるため、１４個未満ＯＦＤＭシンボルである場合、｛Ｍ，Ｎ｝＝｛１４，１｝または｛７，２｝で分割することにより１４個のリソースサブブロックを取得することが困難である場合が存在する。そのため、下り参照リソース領域が１４個未満のＯＦＤＭシンボルである場合、リソースサブブロックに分割する方法は以下のとおりである。なお、下記方法は同様に、下り参照リソース領域の時間領域がｍｉｎｉ−ｓｌｏｔまたは複数のＯＦＤＭシンボルに設定されるシーンにも適用する。
【００６５】
解決方法１：依然として１４個のリソースサブブロックに分割する。具体的には、１つの下り参照リソース領域において分割するとき、１種以上の時間領域粒度および１種以上の周波数領域粒度を用いる。分割されたリソースサブブロックに含まれるリソースのサイズは全て同じではない。
【００６６】
例えば、図４は、本実施形態における１４未満のシンボルの場合にリソースサブブロックの分割模式図であり、図４（Ａ）および図４（Ｂ）を含み、図４における４（Ａ）に示すように、下り参照リソース領域に８つのシンボルが含まれる場合、このとき、｛１ＯＳ，１／２ＢＷ｝および｛２ＯＳ，１／２ＢＷ｝粒度を用いて１４個のリソースサブブロックに分割し、このとき、Ｍ＝７であり、Ｎ＝２である。すなわち、分割時に２種の時間領域粒度および１種の周波数領域粒度を用いてリソースサブブロックの分割を行う。
【００６７】
例えば、図４における図４（Ｂ）に示すように、下り参照リソース領域に６つのシンボルが含まれる場合、このとき、｛１ＯＳ，１／２ＢＷ｝および｛１ＯＳ、１／４ＢＷ｝粒度を用いて１４個のリソースサブブロックに分割し、このとき、Ｍ＝７であり、Ｎ＝２または４である。すなわち、分割時に１種の時間領域粒度および２種の周波数領域粒度を用いてリソースサブブロックの分割を行う。
【００６８】
解決方法２：１４個以下のリソースサブブロックに分割する。具体的には、１つの下り参照リソース領域において分割するとき、１種の時間領域粒度および１種の周波数領域粒度を用いる。分割されたリソースサブブロックに含まれるリソースのサイズが同じである。
【００６９】
方法２−１：下り参照リソースに含まれるシンボル数が偶数であるか奇数であるかに基づき、異なる候補粒度セットを選択してリソースサブブロックの分割を行う。このとき、ＤＬ  ｒｅｆｅｒｅｎｃｅ  ｒｅｓｏｕｒｃｅ時間領域に偶数のｓｙｍｂｏｌｓが含まれる場合、リソースサブブロックに分割するときに使用する粒度は、｛１ＯＳ，１ＢＷ｝および｛２ＯＳ，１／２ＢＷ｝のうちの１つを選択し、ＤＬ  ｒｅｆｅｒｅｎｃｅ  ｒｅｓｏｕｒｃｅ時間領域に奇数のｓｙｍｂｏｌｓが含まれる場合、｛１ＯＳ，１ＢＷ｝のみを設定する。
【００７０】
例えば、下り参照リソースに８つのシンボルが含まれる場合、リソースサブブロックに分割するときに、粒度｛１ＯＳ，１ＢＷ｝および｛２ＯＳ，１／２ＢＷ｝のうちの１つを用いて８つのリソースサブブロックを取得し、このとき、｛Ｍ，Ｎ｝＝｛８、１｝および｛４、２｝のうちの１つであり、このとき、８つのｂｉｔを用いて各リソースサブブロックがプリエンプトされたか否かを指示すればよく、使用していない残りのビットを保留すればよい。プリエンプション指示が１４ｂｉｔを固定的に使用すると仮定すれば、このとき、残りの６ｂｉｔを保留すればよい。
【００７１】
例えば、下り参照リソースに７つのリソースサブブロックが含まれる場合、｛１ＯＳ，１ＢＷ｝の粒度を用いて分割し、このとき、｛Ｍ，Ｎ｝＝｛７、１｝であり、このとき、７つのｂｉｔを用いて各リソースサブブロックがプリエンプトされたか否かを指示すればよく、使用していない残りのビットを保留すればよい。プリエンプション指示が１４ｂｉｔを固定的に使用すると仮定すれば、このとき、残りの７ｂｉｔを保留すればよい。
【００７２】
方法２−２：下り参照リソースに含まれるシンボル数が７よりも大きいか否かに基づき、異なる候補粒度セットを選択してリソースサブブロックの分割を行う。このとき、ＤＬ  ｒｅｆｅｒｅｎｃｅ  ｒｅｓｏｕｒｃｅ時間領域にｘ個のシンボルが含まれる場合、０＜ｘ≦７であるとき、｛１ＯＳ，１ＢＷ｝または｛１ＯＳ，１／２ＢＷ｝で分割し、７＜ｘ＜１４であるとき、｛１ＯＳ，１ＢＷ｝で分割する。
【００７３】
例えば、下り参照リソースに８つのシンボルが含まれる場合、リソースサブブロックに分割するとき、粒度｛１ＯＳ，１ＢＷ｝を用いて８つのリソースサブブロックを取得し、このとき、｛Ｍ，Ｎ｝＝｛８、１｝であり、このとき、８つのｂｉｔを用いて各リソースサブブロックがプリエンプトされたか否かを指示すればよく、使用していない残りのビットを保留すればよい。プリエンプション指示が１４ｂｉｔを固定的に使用すると仮定すれば、このとき、残りの６ｂｉｔを保留すればよい。
【００７４】
例えば、下り参照リソースに５つのリソースサブブロックが含まれる場合、｛１ＯＳ，１ＢＷ｝および｛１ＯＳ，１／２ＢＷ｝のうちの１つの粒度を用いて分割し、このとき、｛Ｍ，Ｎ｝＝｛５、１｝および｛１０、１｝のうちの１つであり、このとき、５つのｂｉｔまたは１０個のｂｉｔを用いて各リソースサブブロックがプリエンプトされたか否かを指示すればよく、使用していない残りのビットを保留すればよい。プリエンプション指示が１４ｂｉｔを固定的に使用すると仮定すれば、このとき、残りの９ｂｉｔまたは４ｂｉｔ保留すればよい。
【００７５】
方法２−３：まず、下り参照リソースに含まれるシンボル数が偶数であるか奇数であるかに基づき、異なる候補粒度セットを選択してリソースサブブロックの分割を行い、次に、下り参照リソースに含まれるシンボル数が奇数である場合、更に７よりも大きいか否かに基づき、異なる候補粒度セットを選択してリソースサブブロックの分割を行う。このとき、ＤＬ  ｒｅｆｅｒｅｎｃｅ  ｒｅｓｏｕｒｃｅ時間領域に偶数のｓｙｍｂｏｌｓが含まれる場合、リソースサブブロックに分割するときに使用する粒度は、｛１ＯＳ，１ＢＷ｝および｛２ＯＳ，１／２ＢＷ｝のうちの１つを選択し、ＤＬ  ｒｅｆｅｒｅｎｃｅ  ｒｅｓｏｕｒｃｅ時間領域に奇数のｓｙｍｂｏｌｓが含まれる場合、０＜ｘ≦７であるとき、｛１ＯＳ，１ＢＷ｝、｛１ＯＳ，１／２ＢＷ｝で分割し、７＜ｘ＜１４であるとき、｛１ＯＳ，１ＢＷ｝で分割する。
【００７６】
例えば、下り参照リソースに８つのシンボルが含まれる場合、リソースサブブロックに分割するとき、粒度｛１ＯＳ，１ＢＷ｝および｛２ＯＳ，１／２ＢＷ｝のうちの１つを用いて８つのリソースサブブロックを取得し、このとき、｛Ｍ，Ｎ｝＝｛８、１｝および｛４、２｝のうちの１つであり、このとき、８つのｂｉｔを用いて各リソースサブブロックがプリエンプトされたか否かを指示すればよく、使用していない残りのビットを保留すればよい。プリエンプション指示が１４ｂｉｔを固定的に使用すると仮定すれば、このとき、残りの６ｂｉｔを保留すればよい。
【００７７】
例えば、下り参照リソースに９つのリソースサブブロックが含まれる場合、｛１ＯＳ，１ＢＷ｝の粒度を用いて分割し、このとき、｛Ｍ，Ｎ｝＝｛９、１｝であり、このとき、９つのｂｉｔを用いて各リソースサブブロックがプリエンプトされたか否かを指示すればよく、使用していない残りのビットを保留すればよい。プリエンプション指示が１４ｂｉｔを固定的に使用すると仮定すれば、このとき、残りの５ｂｉｔを保留すればよい。
【００７８】
例えば、下り参照リソースに５つのリソースサブブロックが含まれる場合、｛１ＯＳ，１ＢＷ｝および｛１ＯＳ，１／２ＢＷ｝のうちの１つの粒度を用いて分割し、このとき｛Ｍ，Ｎ｝＝｛５、１｝および｛１０、１｝のうちの１つであり、このとき、５つのｂｉｔまたは１０個のｂｉｔを用いて各リソースサブブロックがプリエンプトされたか否かを指示すればよく、使用していない残りのビットを保留すればよい。プリエンプション指示が１４ｂｉｔを固定的に使用すると仮定すれば、このとき、残りの９ｂｉｔまたは４ｂｉｔを保留すればよい。
【００７９】
方法２−４：｛Ｍ，Ｎ｝＝｛１４，１｝または｛７，２｝で上りシンボルを含む合計１４個のシンボルを共に１４個のリソースサブブロックに分割し、リソースサブブロックにおけるリソースが完全に上りリソースである場合、該リソースサブブロックのｂｉｔを使用しないかまたは保留するように指示すればよい。図５は、本実施形態におけるリソースサブブロックの分割模式図であり、図５（Ａ）および図５（Ｂ）を含み、図５に示すように、ｓｌｏｔの総上りシンボル数が２つであり、このとき、｛Ｍ，Ｎ｝＝｛７，２｝で１４個のリソースサブブロックに分割し、図５（Ａ）に示すように、最後の２つのシンボルに対応する２つのリソースサブブロックを指示する必要がない。このとき、｛Ｍ，Ｎ｝＝｛１４，１｝で１４個のリソースサブブロックに分割し、図５（Ｂ）に示すように、最後の２つのシンボルに対応する２つのリソースサブブロックを指示する必要がない。
【００８０】
解決方法３：下り参照リソースに含まれるシンボル数が７よりも大きいか否かに基づき、異なる候補粒度を用いてリソースサブブロックの分割を行う。このとき、ＤＬ  ｒｅｆｅｒｅｎｃｅ  ｒｅｓｏｕｒｃｅ時間領域にｘ個のシンボルが含まれる。
【００８１】
好ましくは、０＜ｘ＜７であるとき、１種の粒度｛１ＯＳ，１／２ＢＷ｝を用いて１４個よりも少ないリソースサブブロックに分割し、７≦ｘ＜１４であるとき、｛１ＯＳ，１ＢＷ｝および／または｛１ＯＳ，１／２ＢＷ｝を用いて１４個のリソースサブブロックに分割する。
【００８２】
好ましくは、０＜ｘ≦７であるとき、１種の粒度｛１ＯＳ，１／２ＢＷ｝を用いて１４個以下のリソースサブブロックに分割し、７＜ｘ＜１４であるとき、｛１ＯＳ，１ＢＷ｝および／または｛１ＯＳ，１／２ＢＷ｝を用いて１４個のリソースサブブロックに分割する。
【００８３】
例えば、下り参照リソースに１３個のシンボルが含まれる場合、リソースサブブロックに分割するとき、そのうちの１つ（好ましくは、１３個のシンボルのうちの1つ目）のシンボルを用い、粒度｛１ＯＳ，１／２ＢＷ｝を用い、残りのシンボルは粒度｛１ＯＳ，１ＢＷ｝を用いて１４個のリソースサブブロックを取得し、このとき、Ｍ＝１３であり、Ｎ＝１または２である。すなわち、分割時に１種の時間領域粒度および２種の周波数領域粒度を用いてリソースサブブロックの分割を行う。このとき、１４個のｂｉｔを用いて各リソースサブブロックがプリエンプトされたか否かを指示する。
【００８４】
例えば、下り参照リソースに１２個のシンボルが含まれる場合、リソースサブブロックに分割するとき、そのうちの２つ（好ましくは、１３個のシンボルのうちの最初の２つ）のシンボルを用い、粒度｛１ＯＳ，１／２ＢＷ｝を用い、残りのシンボルは粒度｛１ＯＳ，１ＢＷ｝を用いて１４個のリソースサブブロックを取得し、このとき、Ｍ＝１２であり、Ｎ＝１または２である。すなわち、分割時に１種の時間領域粒度および２種の周波数領域粒度を用いてリソースサブブロックの分割を行う。このとき、１４個のｂｉｔを用いて各リソースサブブロックがプリエンプトされたか否かを指示する。
【００８５】
例えば、下り参照リソースに５つのシンボルが含まれる場合、リソースサブブロックに分割するとき、粒度｛１ＯＳ，１／２ＢＷ｝を用いて１０個のリソースサブブロックを取得し、このとき、Ｍ＝５であり、Ｎ＝２である。このとき、１０個のｂｉｔを用いて各リソースサブブロックがプリエンプトされたか否かを指示すればよく、使用していない残りのビットを保留すればよい。プリエンプション指示が１４ｂｉｔを固定的に使用すると仮定すれば、このとき、残りの４ｂｉｔを保留すればよい。
【００８６】
０＜ｘ＜７であるとき、１種の粒度（好ましくは、｛１ＯＳ，１／２ＢＷ｝）を用いて分割し、１４個以下のリソースサブブロックを取得し、分割されたリソースサブブロックに含まれるリソースのサイズが同じである。７≦ｘ＜１４であるとき、１種の粒度（好ましくは、｛１ＯＳ，１／２ＢＷ｝）でそのうちの（１４−ｘ）個のシンボルを分割し、別の粒度（好ましくは、｛１ＯＳ，１ＢＷ｝）でそのうちの（２ｘ−１４）個のシンボルを分割し、Ｙ個のリソースサブブロックを取得する。または、０＜ｘ≦７であるとき、１種の粒度（好ましくは、｛１ＯＳ，１／２ＢＷ｝）で分割し、１４個以下のリソースサブブロックを取得し、分割されたリソースサブブロックに含まれるリソースのサイズが同じである。７＜ｘ＜１４であるとき、１種の粒度（好ましくは、｛１ＯＳ，１／２ＢＷ｝）でそのうちの（１４−ｘ）個のシンボルを分割し、別の粒度（好ましくは、｛１ＯＳ，１ＢＷ｝）でそのうちの（２ｘ−１４）個のシンボルを分割し、Ｙ個のリソースサブブロックを取得し、分割されたリソースサブブロックに含まれるリソースのサイズは全て同じではない。
【００８７】
解決方法４：
好ましくは、本方法は、下り参照リソース領域の時間領域がｍｉｎｉ−ｓｌｏｔまたはｎｏｎ−ｓｌｏｔ  ｌｅｖｅｌの粒度または複数のＯＦＤＭシンボル  ｌｅｖｅｌの粒度に設定されるシーンに適用されるが、これに限定されない。
【００８８】
ｍｉｎｉ−ｓｌｏｔまたはｎｏｎ−ｓｌｏｔまたは複数のＯＦＤＭシンボルに含まれるシンボル数がｘであり、ｘの取り得る値は１〜１３のうちの整数値であると仮定する。以下、ｘ＝２を例として説明し、残りの値の方法は類似し、説明を省略する。
【００８９】
ＵＥに設定されたプリエンプション指示情報を監視する周期は１つのｎｏｎ−ｓｌｏｔであり、すなわち、ｘ＝２つのＯＦＤＭシンボルである。このとき、プリエンプション指示情報が指示するプリエンプトされたリソースに対応する下り参照リソース領域は、依然として１４個のＯＦＤＭシンボルである。
【００９０】
方法４−１：この１４個のシンボルは１つのｓｌｏｔ内の１４個のシンボルである。このとき、リソースサブブロックの分割は、依然として｛Ｍ，Ｎ｝＝｛１４，１｝または｛７，２｝に従って１４個のリソースサブブロックに分割する。好ましくは、リソースサブブロックにおけるリソースが完全に上りリソースである場合、該リソースサブブロックのｂｉｔを使用しないかまたは保留するように指示すればよい。該方法の特徴は、１つのｓｌｏｔ内に受信されるプリエンプション指示情報が同じであり、いずれも前のｓｌｏｔにおける全てのｎｏｎ−ｓｌｏｔのリソースがプリエンプトされたという指示であることであり、且つ同じプリエンプション指示情報を複数回受信すると、プリエンプション指示情報の信頼性を向上させることができる。
【００９１】
方法４−２：この１４個のシンボルは、現在のプリエンプション指示ＰＩが位置するｎｏｎ−ｓｌｏｔおよび前の６つのｎｏｎ−ｓｌｏｔを含む合計１４個のシンボルであり、または現在のプリエンプション指示ＰＩが位置するｎｏｎ−ｓｌｏｔを含まないが、隣接する前の７つのｎｏｎ−ｓｌｏｔを含む合計１４個のシンボルであり、各ｎｏｎ−ｓｌｏｔはｘ＝２つのシンボルを含む。このとき、リソースサブブロックの分割は、依然として｛Ｍ，Ｎ｝＝｛１４，１｝または｛７，２｝に従って１４個のリソースサブブロックに分割する。好ましくは、リソースサブブロックにおけるリソースが完全に上りリソースである場合、該リソースサブブロックのｂｉｔを使用しないかまたは保留するように指示すればよい。該方法の特徴は、各ｎｏｎ−ｓｌｏｔで受信されたプリエンプション指示情報が最もタイムリーであり、いずれも現在のｎｏｎ−ｓｌｏｔおよび前の６つのｎｏｔ−ｓｌｏｔを含むプリエンプトされたリソースの指示であり、または現在のｎｏｎ−ｓｌｏｔを含まずに前の７つのｎｏｎ−ｓｌｏｔのみを含むプリエンプトされたリソースの指示である。それと同時に、後に受信するプリエンプション指示情報は、前に受信したプリエンプション指示情報内の一部の指示情報が正しいか否かを後検出することができる。
【００９２】
または、ＵＥに設定されたプリエンプション指示情報を監視する周期は１つのｎｏｎ−ｓｌｏｔであり、すなわち、ｘ＝２つのＯＦＤＭシンボルである。このとき、プリエンプション指示情報が指示するプリエンプトされたリソースに対応する下り参照リソース領域は２つのＯＦＤＭシンボルである。
【００９３】
方法４−３：２つのＯＦＤＭシンボルにおいて、時間領域が１つのシンボル粒度、周波数領域が１／７帯域幅である粒度で分割し、１４個のリソースサブブロックを取得する。１４−ｂｉｔのｂｉｔｍａｐにより、各リソースサブブロックがプリエンプトされたか否かを指示する。
【００９４】
方法４−４：２つのＯＦＤＭシンボルにおいて、時間領域が１つのシンボル粒度、周波数領域が１／２帯域幅である粒度で分割し、４つのリソースサブブロックを取得する。１４−ｂｉｔのｂｉｔｍａｐにより、各リソースサブブロックがプリエンプトされたか否かを指示し、１０ｂｉｔを保留するかまたは使用しなければよい。
【００９５】
方法４−５：２つのＯＦＤＭシンボルにおいて、時間領域が１つのシンボル粒度、周波数領域が１／Ｐ帯域幅である粒度で分割し、２Ｐ個のリソースサブブロックを取得する。１４−ｂｉｔのｂｉｔｍａｐにより、各リソースサブブロックがプリエンプトされたか否かを指示し、（１４−２Ｐ）ｂｉｔを保留するかまたは使用しなければよい。Ｐの値はセット｛１、２、３、４、５、６、７｝のうちの少なくとも１つである。
【００９６】
更に、残りのｂｉｔ（または保留ｂｉｔと呼ぶ）については、何の使用もしなくてもよく、または、より周波数領域に分割された部分のリソースがプリエンプトされたか否かを更に指示するために用いられてもよい。残りのｂｉｔ数がｘであると仮定し、一部のｂｉｔのみを用いて特定の周波数領域分割部分を指示してもよく、例えば、１ＢＷの場合、残りのｂｉｔにおける２または４または８ｂｉｔのみを用いて１／２または１／４または１／８粒度の周波数領域リソースがプリエンプトされたか否かを指示し、１／２ＢＷの場合、残りのｂｉｔにおける４または８ｂｉｔのみを用いて１／４または１／８粒度の周波数領域リソースがプリエンプトされたか否かを指示する。全てのｘｂｉｔを用いて分割可能な周波数領域部分を指示してもよく、例えば、１ＢＷの場合、ｘｂｉｔを用いて１／ｘ粒度の周波数領域リソースがプリエンプトされたか否かを指示する。
【００９７】
本実施形態に係るリソース指示方法により、オーバーヘッドを固定的に指示する場合に下り参照リソースが１４未満のシンボルであるときのリソース指示に適用することを実現でき、プリエンプティブ伝送されるデータは、パンチングリソース位置を知ることができ、大量の再送データおよび誤りデータ累積と広がりを回避し、プリエンプトされたリソースのみを伝送し、システムのスペクトル効率を向上させる。
【００９８】
実施形態２
基地局が時間長の短いＵＲＬＬＣトラフィックを送信するために使用するリソースは、既にｅＭＢＢトラフィックに割り当てられたリソースをプリエンプティブするものである。プリエンプション指示情報を送信することにより、リソースがプリエンプトされた端末に設定された下り参照リソース領域においてどのリソースがプリエンプトされたかを通知する。
【００９９】
ここで、下り参照リソース領域に対応する周波数領域は、端末のアクティブＤＬ  ＢＷＰであり、対応する時間領域は設定可能であり、スロットｓｌｏｔの整数倍であってもよく、複数のＯＦＤＭシンボルであってもよい。
【０１００】
本実施形態に係る下り参照リソース領域に対応する時間領域は２つのｓｌｏｔである。
【０１０１】
シーン１：各ｓｌｏｔの１４個のＯＦＤＭシンボルが全て下りシンボルであるか、または下りシンボルおよびｕｎｋｎｏｗｎシンボルである場合、このとき、下り参照リソース領域は時間領域において２８個のＯＦＤＭシンボルであり、｛Ｍ，Ｎ｝＝｛１４，１｝または｛７，２｝で分割した後、１４個のリソースサブブロックを取得することができ、このとき、それぞれ使用する分割粒度は｛２ＯＳ，１ＢＷ｝または｛４ＯＳ，１／２ＢＷ｝であり、各リソースサブブロックは１ｂｉｔによりプリエンプトされたか否かを指示する。なお、このとき、分割されたリソースサブブロックがｓｌｏｔ境界を跨ぐことが許容される。
【０１０２】
分割されたリソースサブブロックがｓｌｏｔ境界を跨ぐことが許容されない場合、以下のような方法の１つを採用してもよい。
【０１０３】
方法１：｛Ｍ，Ｎ｝＝｛１４，１｝のみを設定し、すなわち、使用する分割粒度は｛２ＯＳ，１ＢＷ｝である。
【０１０４】
方法２：｛Ｍ，Ｎ｝＝｛１４，１｝および｛７，２｝はいずれも設定可能であり、｛Ｍ，Ｎ｝＝｛７，２｝であり、２つのｓｌｏｔにおいてそれぞれ異なる数のリソースサブブロックに分割する。例えば、図６は、本実施形態における下り参照リソースが２ｓｌｏｔである場合のリソースサブブロックの分割模式図１であり、図６に示すように、１つ目のｓｌｏｔで粒度｛５−５−４ＯＳ、１／２ＢＷ｝を用いて６つのリソースサブブロックに分割し、第２つのｓｌｏｔで粒度｛４−３−４−３ＯＳ，１／２ＢＷ｝を用いて８つのリソースサブブロックに分割する。
【０１０５】
シーン２：ｓｌｏｔに上りシンボルが含まれ、且つ２つのｓｌｏｔのフォーマットが同じである。すなわち、このとき、各ｓｌｏｔに含まれる上りシンボル数は同じである。このとき、２つのｓｌｏｔからＵＬ  ｓｙｍｂｏｌｓを除去した後、ＤＬ  ｒｅｆｅｒｅｎｃｅ  ｒｅｓｏｕｒｃｅは２Ｎ個のシンボルを有し、すなわち、各ｓｌｏｔはＮ個のシンボルを有する。このとき、リソースサブブロックに分割するとき、以下のような方法の１つを採用することができる。
【０１０６】
方法１：１４個のリソースサブブロックに分割し、各ｓｌｏｔにいずれも７つのリソースサブブロックが含まれる。このとき、各ｓｌｏｔが有するＮ個のシンボルを７部に分割することができ、周波数領域が１ＢＷの粒度を採用し、すなわち、１部に分割する。または、時間領域を１部に分割し、周波数領域を７部に分割し、または、時間領域を２部に分割し、第１部における周波数領域を３部に分割し、第２部における周波数領域を４部に分割する等。このとき、使用する粒度が唯一ではない。
【０１０７】
方法２：１４個のリソースサブブロックに分割し、各ｓｌｏｔにいずれも含まれるリソースサブブロックの数の差が２つを超えない。このとき、２つのｓｌｏｔがそれぞれ有するＮ個のシンボルを７部および７部に分割してもよく、または６部および８部に分割してもよい。例えば、Ｎ＝８である場合、１つ目のｓｌｏｔ時間領域を８部に分割し、１ＯＳの粒度を採用し、周波数領域を１部に分割し、１ＢＷの粒度を採用し、２つ目のｓｌｏｔ時間領域を６部に分割し、１ＯＳと２ＯＳとの混合粒度を採用し、周波数領域を１部に分割し、１ＢＷの粒度を採用する。
【０１０８】
方法３：１４個以下のリソースサブブロックに分割し、２つのｓｌｏｔを｛１ＯＳ，１ＢＷ｝および／または｛２ＯＳ，１ＢＷ｝のみで分割し、１４未満のｓｕｂ−ｂｌｏｃｋｓの場合、残りのＰＩがｂｉｔを保留して使用しないように指示すればよい。例えば、ＵＬ  ｓｙｍｂｏｌｓ数が７よりも小さくて偶数である場合、２ＯＳの粒度を使用し、図７は、本実施形態における下り参照リソースが２ｓｌｏｔである場合のリソースサブブロックの分割模式図２であり、図７に示すように、ＵＬ  ｓｙｍｂｏｌｓ数が７より小さくて奇数である場合、２ＯＳと１ＯＳとの混合粒度を使用する。ＵＬ  ｓｙｍｂｏｌｓ数が７以上である場合、１ＯＳの粒度を使用し、図８は、本実施形態における下り参照リソースが２ｓｌｏｔである場合のリソースサブブロックの分割模式図３であり、図８に示すとおりである。
【０１０９】
方法４：｛Ｍ，Ｎ｝＝｛１４，１｝または｛７，２｝で上りシンボルを含む２つのｓｌｏｔの合計２８個のシンボルを共に１４個のリソースサブブロックに分割し、リソースサブブロックにおけるリソースが完全に上りリソースである場合、該リソースサブブロックのｂｉｔを使用しないかまたは保留するように指示すればよい。このとき、分割方法はシーン１における方法と同様である。
【０１１０】
シーン３：ｓｌｏｔに上りシンボルが含まれ、且つ２つのｓｌｏｔのフォーマットが異なる。すなわち、このとき、各ｓｌｏｔに含まれる上りシンボル数は異なる。このとき、２つのｓｌｏｔからＵＬ  ｓｙｍｂｏｌｓを除去した後、ＤＬ  ｒｅｆｅｒｅｎｃｅ  ｒｅｓｏｕｒｃｅは２つのｓｌｏｔにおいて、それぞれＮ１およびＮ２個のシンボルを有する。このとき、リソースサブブロックに分割するとき、以下のような方法の１つを採用することができる。
【０１１１】
方法１：１４個のリソースサブブロックに分割する。Ｎ１とＮ２との割合に従って２つのｓｌｏｔに含まれるリソースサブブロックの数を割り当てる。すなわち、Ｎ１とＮ２との割合に従ってそれぞれのｓｌｏｔにおけるｓｕｂ−ｂｌｏｃｋ数を分割し、２つの和は１４である。ａｌｔ．１  割合が３：４を満たした場合、｛１４，１｝または｛７，２｝で分割することができる。ａｌｔ．２  割合が３：４を満たしない場合、｛１４，１｝のみで分割する。１つの下り参照リソースをリソースサブブロックに分割するとき、少なくとも１種の時間周波数領域粒度を使用する。
【０１１２】
方法２：１４個以下のリソースサブブロックに分割する。すなわち、Ｎ１とＮ２との割合に従ってそれぞれのｓｌｏｔにおけるｓｕｂ−ｂｌｏｃｋ数を分割し、２つの和が１４を超えない。１つの下り参照リソースをリソースサブブロックに分割するとき、１種の時間周波数領域粒度のみを使用する。
【０１１３】
方法３：｛Ｍ，Ｎ｝＝｛１４，１｝または｛７，２｝で上りシンボルを含む２つのｓｌｏｔの合計２８個のシンボルを共に１４個のリソースサブブロックに分割し、リソースサブブロックにおけるリソースが完全に上りリソースである場合、該リソースサブブロックのｂｉｔを使用しないかまたは保留するように指示すればよい。このとき分割方法はシーン１における方法と同様である。
【０１１４】
本実施形態に係るリソース指示方法により、オーバーヘッドを固定的に指示する場合に下り参照リソースが１つよりも多いｓｌｏｔであるときのリソース指示に適用することを実現でき、プリエンプティブ伝送されるデータは、パンチングリソース位置を知ることができ、大量の再送データおよび誤りデータの累積と広がりを回避し、プリエンプトされたリソースのみを伝送し、システムのスペクトル効率を向上させる。
【０１１５】
実施形態３
基地局が時間長の短いＵＲＬＬＣトラフィックを送信するために使用するリソースは、既にｅＭＢＢトラフィックに割り当てられたリソースをプリエンプティブするものである。プリエンプション指示情報を送信することにより、リソースがプリエンプトされた端末に設定された下り参照リソース領域においてどのリソースがプリエンプトされたかを通知する。
【０１１６】
ここで、下り参照リソース領域に対応する周波数領域は、端末のアクティブＤＬ  ＢＷＰであり、対応する時間領域は設定可能であり、スロットｓｌｏｔの整数倍であってもよく、複数のＯＦＤＭシンボルであってもよい。
【０１１７】
本実施形態に係る下り参照リソース領域に対応する時間領域は、２つよりも多いｓｌｏｔである場合のシーンであり、例えば、５または１０または２０個のｓｌｏｔである。
【０１１８】
２つよりも多いｓｌｏｔの場合のシーンでは、リソースサブブロックに分割するとき、分割されたリソースサブブロックの数が１４個以下であることを原則とする。１４個未満である場合、残りのｂｉｔを使用しないかまたは保留するように指示すればよい。このとき、より大きい粒度を用いて分割すればよい、例えば、以下のとおりである。
【０１１９】
ＤＬ  ｒｅｆｅｒｅｎｃｅ  ｒｅｓｏｕｒｃｅ＝５ｓｌｏｔｓの場合、各ｓｌｏｔを２つのｓｕｂ−ｂｌｏｃｋｓに分け、合計１０個のｓｕｂ−ｂｌｏｃｋｓである。好ましくは、各ｓｌｏｔにおける時間領域を２つの部分に２分割し、または周波数領域を２つの部分に２分割すればよい。
【０１２０】
ＤＬ  ｒｅｆｅｒｅｎｃｅ  ｒｅｓｏｕｒｃｅ  ＝１０ｓｌｏｔｓの場合、各ｓｌｏｔを１つのｓｕｂ−ｂｌｏｃｋと見なし、合計１０個のｓｕｂ−ｂｌｏｃｋである。
【０１２１】
ＤＬ  ｒｅｆｅｒｅｎｃｅ  ｒｅｓｏｕｒｃｅ  ＝２０ｓｌｏｔｓの場合、２つ毎のｓｌｏｔを１つのｓｕｂ−ｂｌｏｃｋと見なし、合計１０個のｓｕｂ−ｂｌｏｃｋである。
【０１２２】
本実施形態によりに係るリソース指示方法により、オーバーヘッドを固定的に指示する場合に下り参照リソースが１つよりも多いｓｌｏｔであるときのリソース指示に適用することを実現でき、プリエンプティブ伝送されるデータは、パンチングリソース位置を知ることができ、大量の再送データおよび誤りデータの累積と広がりを回避し、プリエンプトされたリソースのみを伝送し、システムのスペクトル効率を向上させる。
【０１２３】
上記実施形態１、２、３のうちのいずれか１つに基づき、前記下り参照リソースの時間領域の決定方式は、プリエンプション指示をベアラする下り制御情報の監視周期に等しく、プリエンプション指示をベアラする下り制御情報の監視周期の決定は、以下の少なくとも１つを含む。
【０１２４】
方式１：上位層シグナリングまたは物理層シグナリングにより設定され、且つスロットフォーマット情報ＳＦＩをベアラする下り制御情報の監視周期と無関係である。
【０１２５】
方式２：上位層シグナリングまたは物理層シグナリングにより設定され、且つプリエンプション指示をベアラする下り制御情報の監視周期が、スロットフォーマット情報ＳＦＩをベアラする下り制御情報の監視周期以下である。例えば、スロットフォーマット情報ＳＦＩをベアラする下り制御情報の監視周期が２ｓｌｏｔであれば、プリエンプション指示をベアラする下り制御情報の監視周期は１ｓｌｏｔまたは２ｓｌｏｔであってもよい。
【０１２６】
方式３：上位層シグナリングまたは物理層シグナリングにより設定され、且つプリエンプション指示をベアラする下り制御情報の監視周期が、スロットフォーマット情報ＳＦＩをベアラする下り制御情報の監視周期のサブセットである。例えば、スロットフォーマット情報ＳＦＩをベアラする下り制御情報の監視周期が１つ、２つ、５つ、１０個、２０個のｓｌｏｔであれば、プリエンプション指示をベアラする下り制御情報の監視周期は１つ、２つ、５つのｓｌｏｔであってもよい。
【０１２７】
本実施形態に係る周波数領域のリソース設定方法により、下り参照リソース内に複数のｓｌｏｔが含まれる場合に各ｓｌｏｔのフォーマットが同じであることを実現でき、下りシンボルの不均等な分割を回避し、プリエンプティブ伝送されるときに均一な下り参照リソースを使用することを実現し、基地局または端末の処理複雑度を低減する。
【０１２８】
本実施形態により、通信システムにおいて異なる伝送時間を有するトラフィックは伝送時に、長い伝送時間を有するトラフィックのリソースが短い伝送時間を有するトラフィックによりプリエンプトされて伝送され、該プリエンプトされたリソースの指示をどのように決定するかという問題を解決する。
【０１２９】
実施例４
端末がプリエンプション指示情報を受信すると、バッファリフレッシュ（ｆｌｕｓｈ  ｂｕｆｆｅｒ）をどのように実行するかは、以下の方式の少なくとも１つを含む。
【０１３０】
方式１：プリエンプション指示ＰＩ（Ｐｒｅｅｍｐｔｉｏｎ  Ｉｎｄｉｃａｔｉｏｎ）のみを受信した場合、ＰＩにより指示されたリソースに従ってバッファをリフレッシュする。
【０１３１】
方式２：プリエンプション指示ＰＩのみを受信した場合、ＰＩにより指示されたリソースに対応するＣＢＧに従ってバッファをリフレッシュする。ここで、好ましくは、プリエンプション指示リソースを含むシンボルブロックグループ（ＣＢＧ、Ｃｏｄｅ  Ｂｌｏｃｋ  Ｇｒｏｕｐ）はいずれもバッファをリフレッシュする必要がある。
【０１３２】
方式３：ＰＩとＣＢＧＦＩ（ＣＢＧ  Ｆｌｕｓｈ  Ｉｎｄｉｃａｔｉｏｎ、全てのＣＢＧに対応するリソースに対してバッファをリフレッシュするか否かを指示する）とを同時に受信した場合、ＰＩにより指示されたリソースに従ってバッファをリフレッシュする。具体的なバッファリフレッシュ方式は、方式１または方式２が好ましいが、これに限定されない。
【０１３３】
方式４：ＰＩとＣＢＧＦＩとを同時に受信した場合、ＣＢＧＦＩの指示に従ってバッファをリフレッシュする。全てのＣＢＧに対応するリソースに対してバッファをリフレッシュする。
【０１３４】
方式５：ＰＩとＣＢＧＦＩとを同時に受信した場合、ＣＢＧＦＩによりバッファをリフレッシュしないことが指示されるとき、ＰＩにより指示されたリソースに従ってバッファをリフレッシュし、具体的なバッファリフレッシュ方式は、方式１または方式２が好ましいが、これに限定されない。ＣＢＧＦＩがバッファをリフレッシュするように指示するとき、ＣＢＧＦＩの指示に従ってバッファをリフレッシュし、好ましくは、全てのＣＢＧに対応するリソースに対してバッファをリフレッシュする。
【０１３５】
方式６：ＰＩとＣＢＧＦＩとを同時に受信した場合、ＣＢＧＦＩによりバッファをリフレッシュしないことが指示されるとき、バッファをリフレッシュしない。ＣＢＧＦＩによりバッファをリフレッシュすることが指示されるとき、ＰＩにより指示されたリソースに従ってバッファをリフレッシュし、具体的なバッファリフレッシュ方式は、方式１または方式２が好ましいが、これに限定されない。
【０１３６】
上記方式３、４、５、６は、同様にＰＩを受信してからＣＢＧＦＩを受信するシーン、またはＣＢＧＦＩを受信してからＰＩを受信するシーンにも適用する。
【０１３７】
本実施例に係るバッファリフレッシュ方法により、端末がどのようにＰＩに基づいてバッファをリフレッシュするか、またはどのようにＰＩとＣＢＧＦＩと同時に基づいてバッファをリフレッシュするかを解決できる。
【０１３８】
実施例５
本発明の実施例は、実行されると上記いずれか１項に記載の方法を実行するプログラムが記憶された記憶媒体を更に提供する。
【０１３９】
好ましくは、本実施例において、上記記憶媒体は、以下のステップを実行するためのプログラムコードを記憶するように構成され得る。
【０１４０】
Ｓ１、プリエンプティブ伝送される参照リソースを設定し、時間領域において前記参照リソースをＭ個の部分に分割し、周波数領域において前記参照リソースをＮ個の部分に分割する。
【０１４１】
Ｓ２、指示情報により、前記時間領域におけるＭ個の部分および／または周波数領域におけるＮ個の部分においてプリエンプトされたリソースを指示し（Ｍ≧１、Ｎ≧１）、前記参照リソースの時間領域に含まれる下りシンボル数は、１４よりも少ない数と、１４よりも多い数との少なくとも一方を含む。
【０１４２】
好ましくは、本実施例において、上記記憶媒体は、ＵＳＢ、読み出し専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、リムーバブルハードディスク、磁気ディスクまたは光ディスク等のプログラムコードを記憶可能な複数種の媒体を含んでもよいが、これらに限定されない。
【０１４３】
本発明の実施例は、実行されると上記いずれか１項に記載の方法を実行するプログラムを実行するためのプロセッサを更に提供する。
【０１４４】
好ましくは、本実施例において、上記プログラムは以下のステップを実行するために用いられる。
【０１４５】
Ｓ１、プリエンプティブ伝送される参照リソースを設定し、時間領域において前記参照リソースをＭ個の部分に分割し、周波数領域において前記参照リソースをＮ個の部分に分割する。
【０１４６】
Ｓ２、指示情報により、前記時間領域におけるＭ個の部分および／または周波数領域におけるＮ個の部分においてプリエンプトされたリソースを指示し（Ｍ≧１、Ｎ≧１）、前記参照リソースの時間領域に含まれる下りシンボル数は、１４よりも少ない数と、１４よりも多い数との少なくとも一方を含む。
【０１４７】
好ましくは、本実施例における具体的な例は、上記実施例および好ましい実施形態に説明した例を参照することができ、本実施例はここで説明を省略する。
【０１４８】
もちろん、上記本発明の各モジュールまたは各ステップは汎用の計算装置で実現でき、それらが単一の計算装置に集中されてもよく、または複数の計算装置からなるネットワークに分布されてもよく、好ましくは、それらが計算装置実行可能なプログラムコードで実現できることにより、それらを記憶装置に記憶して計算装置で実行されてもよく、且つ、ある場合に、ここでの順序と異なる順序で示されたまたは説明されたステップを実行してもよく、または、それらをそれぞれ個々の集積回路モジュールに作製してもよく、あるいは、それらのうちの複数のモジュールまたはステップを単一の集積回路モジュールに作製して実現してもよいことは、当業者により理解されるべきである。このように、本発明は任意の特定のハードウェアとソフトウェアとの組み合わせに限定されない。
【０１４９】
上記は本発明の好ましい実施例に過ぎず、本発明を限定するものではなく、当業者にとって、本発明に種々の変更や変更を加えることが可能である。本発明の原則内で行われるあらゆる修正、均等置換、改良等は、いずれも本発明の保護範囲内に含まれるべきである。
【産業上の利用可能性】
【０１５０】
本発明の実施例において、プリエンプティブ伝送される参照リソースを設定し、時間領域において前記参照リソースをＭ個の部分に分割し、周波数領域において前記参照リソースをＮ個の部分に分割し、指示情報により、前記時間領域におけるＭ個の部分および／または周波数領域におけるＮ個の部分においてプリエンプトされたリソースを指出し、参照リソースの時間領域に含まれる下りシンボル数は、１４よりも少ない数と、１４よりも多い数との少なくとも一方を含む。参照リソースの時間領域に含まれる下りシンボル数が１４ではない場合（１４よりも少ないおよび／または１４よりも多い場合）を設定することにより、トラフィックがリソースをプリエンプトして伝送する場合にプリエンプトされたリソースを効果的に指示できないという関連技術における問題を解決し、通信システムのトラフィック性能およびリソース利用率を向上させる。
【図１】
2021503228.tif 000003
【図２】
2021503228.tif 000004
【図３】
2021503228.tif 000005
【図４】
2021503228.tif 000006
【図５】
2021503228.tif 000007
【図６】
2021503228.tif 000008
【図７】
2021503228.tif 000009
【図８】
2021503228.tif 000010
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
プリエンプティブ伝送される参照リソースを設定し、時間領域において前記参照リソースをＭ個の部分に分割し、周波数領域において前記参照リソースをＮ個の部分に分割することと、
指示情報により、前記時間領域におけるＭ個の部分および／または周波数領域におけるＮ個の部分においてプリエンプトされたリソースを指示する（Ｍ≧１、Ｎ≧１）ことと、を含み、
前記参照リソースの時間領域に含まれる下りシンボル数は、１４よりも少ない、リソース指示方法。
【請求項２】
前記参照リソースにおける時間領域は、上りシンボルを含まない１つのスロットである、請求項１に記載の方法。
【請求項３】
１種以上の時間領域粒度および１種以上の周波数領域粒度を用いて前記参照リソースを分割し、Ｙ個のリソースサブブロックを取得し、分割されたリソースサブブロックに含まれるリソースのサイズは全て同じではなく、Ｙは正の整数である、請求項２に記載の方法。
【請求項４】
１種の時間領域粒度および１種の周波数領域粒度を用いて前記参照リソースを分割し、Ｙ個以下のリソースサブブロックを取得し、分割されたリソースサブブロックに含まれるリソースのサイズが同じであり、前記１種の時間領域粒度および１種の周波数領域粒度は固定値またはシグナリングにより指示され得るものであり、Ｙは正の整数である、請求項２に記載の方法。
【請求項５】
１種の時間領域粒度および１種の周波数領域粒度を用いて前記参照リソースを分割することは、
前記参照リソースに含まれるシンボル数が偶数であるか奇数であるかに基づき、異なる候補粒度セットを選択して前記参照リソースを分割することと、
前記参照リソースに含まれるシンボル数が７よりも大きいか否かに基づき、異なる候補粒度セットを選択して前記参照リソースを分割することと、
前記参照リソースに含まれるシンボル数が偶数であるか奇数であるか、および７よりも大きいか否かに基づき、異なる候補粒度セットを選択して前記参照リソースを分割することと、
前記参照リソースの上りシンボルを含む１４個のシンボルを分割し、分割されたリソースサブブロックにおけるリソースが完全に上りリソースである場合、該リソースサブブロックのｂｉｔを使用しないかまたは保留するように指示することと、の少なくとも1つを含む、請求項４に記載の方法。
【請求項６】
前記候補粒度セットは、｛１ＯＳ，１ＢＷ｝、｛２ＯＳ，１／２ＢＷ｝、｛１ＯＳ，１／２ＢＷ｝の少なくとも１つを含み、ＯＳは直交周波数分割多重シンボルを表し、ＢＷはアクティブ帯域幅パートＢＷＰを表す、請求項５に記載の方法。
【請求項７】
前記参照リソースに含まれるシンボル数ｘがＰよりも大きいか否かに基づき、異なる候補粒度を用いて前記参照リソースを分割してリソースサブブロックを取得することを決定し、Ｐは正の整数であり、１／Ｐ帯域幅は周波数領域の分割粒度である、請求項２に記載の方法。
【請求項８】
０＜ｘ≦７であるとき、１種の粒度を用いて時間領域が１つのシンボル粒度、周波数領域が１／２ＢＷＰである粒度｛１ＯＳ，１／２ＢＷ｝で分割し、Ｙ個以下のリソースサブブロックを取得し、分割されたリソースサブブロックに含まれるリソースのサイズが同じであり、７＜ｘ＜１４であるとき、粒度｛１ＯＳ，１／２ＢＷ｝を用いてそのうちの（１４−ｘ）個のシンボルを分割し、時間領域が１つのシンボル粒度、周波数領域が１ＢＷＰである粒度｛１ＯＳ，１ＢＷ｝を用いてそのうちの（２ｘ−１４）個のシンボルを分割し、Ｙ個のリソースサブブロックを取得し、分割されたリソースサブブロックに含まれるリソースのサイズは完全に同じではなく、Ｙは正の整数である、請求項７に記載の方法。
【請求項９】
前記参照リソースにおける時間領域は、
上りシンボルを含む２つのスロットと、
上りシンボルを含まない２つのスロットと、の少なくとも１つである、請求項１に記載の方法。
【請求項１０】
前記参照リソースの分割方式は、
スロットに上りシンボルが存在せず、分割されたリソースサブブロックがスロット境界を跨ぐことが許容される場合、｛Ｍ，Ｎ｝＝｛１４，１｝または｛７，２｝であるように設定することにより前記参照リソースを分割して１４個のリソースサブブロックを取得し、｛Ｍ，Ｎ｝＝｛１４，１｝および｛Ｍ，Ｎ｝＝｛７，２｝に対応する分割粒度は｛２ＯＳ，１ＢＷ｝および｛４ＯＳ，１／２ＢＷ｝であり、｛２ＯＳ，１ＢＷ｝は、時間領域が２つのシンボル、周波数領域が１ＢＷＰである粒度であり、｛４ＯＳ，１／２ＢＷ｝は、時間領域が４つのシンボル、周波数領域が１／２ＢＷＰである粒度である方式と、
スロットに上りシンボルが存在せず、分割されたリソースサブブロックがスロット境界を跨ぐことが許容されない場合、｛Ｍ，Ｎ｝＝｛１４，１｝であるように設定することにより分割粒度｛２ＯＳ，１ＢＷ｝を用いて前記参照リソースを分割して１４個のリソースサブブロックを取得する方式と、
スロットに上りシンボルが存在せず、分割されたリソースサブブロックがスロット境界を跨ぐことが許容されない場合、｛Ｍ，Ｎ｝＝｛１４，１｝および｛７，２｝であるように設定することにより前記参照リソースを分割して１４個のリソースサブブロックを取得し、｛Ｍ，Ｎ｝＝｛７，２｝であり、２つのスロットにおいてそれぞれ異なる数のリソースサブブロックに分割する方式と、の少なくとも１つを含む、請求項９に記載の方法。
【請求項１１】
前記参照リソースの分割方式は、
スロットに上りシンボルが含まれ、且つ２つのスロットのフォーマットが同じである場合、前記参照リソースをＹ個のリソースサブブロックに分割し、且つ各スロットにいずれも７つのリソースサブブロックが含まれる方式と、
スロットに上りシンボルが含まれ、且つ２つのスロットのフォーマットが同じである場合、前記参照リソースをＹ個のリソースサブブロックに分割し、且つ各スロットにいずれも含まれるリソースサブブロックの数は異なるが、差が２つを超えない方式と、
スロットに上りシンボルが含まれ、且つ２つのスロットのフォーマットが同じである場合、２つのスロットにおいて分割粒度｛１ＯＳ，１ＢＷ｝および／または｛２ＯＳ，１ＢＷ｝に従って前記参照リソースを分割し、Ｙ個以下のリソースサブブロックを取得する方式と、
スロットに上りシンボルが含まれ、且つ２つのスロットのフォーマットが同じである場合、上りシンボルを含む２つのスロットの２８個のシンボルに対して前記参照リソースを分割し、Ｙ個のリソースサブブロックを取得し、リソースサブブロックにおけるリソースが完全に上りリソースである場合、該リソースサブブロックのｂｉｔを使用しないかまたは保留するように指示する（Ｙは正の整数である）方式と、の少なくとも１つを含む、請求項９に記載の方法。
【請求項１２】
前記参照リソースの分割方式は、
スロットに上りシンボルが含まれ、且つ２つのスロットのフォーマットが異なる場合、１つの前記参照リソースにおいて少なくとも１種の時間周波数領域分割粒度を用いてＮ１とＮ２との割合に従って２つのスロットに含まれるリソースサブブロックの数を割り当て、Ｙ個のリソースサブブロックを取得する方式と、
スロットに上りシンボルが含まれ、且つ２つのスロットのフォーマットが異なる場合、１つの前記参照リソースをリソースサブブロックに分割するとき、１種の時間周波数領域粒度のみを用いてＮ１とＮ２との割合に従ってそれぞれのスロットにおけるリソースサブブロックの数を分割し、Ｙ個以下のリソースサブブロックを取得する方式と、
スロットに上りシンボルが含まれ、且つ２つのスロットのフォーマットが異なる場合、上りシンボルを含む２つのスロットの２８個のシンボルに対してＹ個のリソースサブブロックに分割し、リソースサブブロックにおけるリソースが完全に上りリソースである場合、該リソースサブブロックのビットを使用しないかまたは保留するように指示する方式と、の少なくとも１つを含み、
前記参照リソースは、２つのスロットにおいてそれぞれＮ１およびＮ２個のシンボルを有し、Ｙは正の整数である、請求項９に記載の方法。
【請求項１３】
前記参照リソースにおける時間領域は、
上りシンボルを含む２つよりも多いスロットと、
上りシンボルを含まない２つよりも多いスロットと、の少なくとも１つである、請求項１に記載の方法。
【請求項１４】
前記参照リソースの分割方式は、
前記参照リソースをＹ個以下のリソースサブブロックに分割する（Ｙは正の整数である）方式を含む、請求項１３に記載の方法。
【請求項１５】
リソースサブブロックが１４個未満である場合、残りのリソースサブブロックのビットを使用しないかまたは保留するように指示することと、
リソースサブブロックにおけるリソースが完全に上りリソースである場合、該リソースサブブロックのビットを使用しないかまたは保留するように指示することと、の少なくとも１つを更に含む、請求項１４に記載の方法。
【請求項１６】
Ｙ＝１４である、請求項３、４、８、１１、１２または１４に記載の方法。
【請求項１７】
前記プリエンプション指示情報の第１監視周期を決定することと、
前記参照リソースの時間領域を前記第１監視周期の時間領域として決定することと、を更に含む、請求項１に記載の方法。
【請求項１８】
前記プリエンプション指示情報の第１監視周期は、
上位層シグナリングまたは物理層シグナリングにより設定され、且つスロットフォーマット情報ＳＦＩをベアラする第２監視周期と無関係である方式と、
上位層シグナリングまたは物理層シグナリングにより設定され、且つ前記第１監視周期が第２監視周期以下である方式と、
上位層シグナリングまたは物理層シグナリングにより設定され、且つ前記第１監視周期が前記第２監視周期のサブセットである方式と、の１つにより決定される、請求項１７に記載の方法。
【請求項１９】
指示情報を監視する周期が１つのミニスロットであるようにユーザ機器ＵＥを設定し、
参照リソースを、
１つのミニスロットと、
１つのスロットにおける全ての１４個のシンボルと、
上りシンボルを含まない１つのスロットと、
現在の指示情報が位置するミニスロットおよび前の連続したＵ−１個のミニスロットを含む合計１４個のシンボルと、
現在の指示情報が位置するミニスロットを含まないが、隣接する前の連続したＵ個）のミニスロットを含む合計１４個のシンボルと、の少なくとも一方とし、
Ｕは正の整数であり、指示情報が時間領域におけるＭ個の部分および／または周波数領域におけるＮ個の部分においてプリエンプトされたリソースを指示するために用いられ、前記時間領域におけるＭ個の部分は、時間領域において参照リソースをＭ個の部分に分割することにより得られ、Ｎ個の周波数領域は、周波数領域において前記参照リソースをＮ個の部分に分割することにより得られる、リソース指示方法。
【請求項２０】
ユーザ機器ＵＥが指示情報を受信すると、バッファをリフレッシュすることを含み、
バッファをリフレッシュすることは、
指示情報および指定情報を受信すると、指示情報により指示されたリソースに従ってバッファをリフレッシュする方式と、
指示情報および指定情報を受信すると、指定情報による指示に従ってバッファをリフレッシュする方式と、
指示情報および指定情報を受信すると、指定情報によりバッファをリフレッシュしないことが指示される場合、指示情報ＰＩにより指示されたリソースに従ってバッファをリフレッシュし、指定情報によりバッファをリフレッシュすることが指示される場合、指定情報による指示に従ってバッファをリフレッシュする方式と、
指示情報および指定情報を受信すると、指定情報によりバッファをリフレッシュしないことが指示される場合、バッファをリフレッシュせず、指定情報によりバッファをリフレッシュすることが指示される場合、指示情報で指示されたリソースに従ってバッファをリフレッシュし、前記指定情報は、全てのシンボルブロックグループＣＢＧに対応するリソースに対してバッファをリフレッシュするか否かを指示するために用いられ、指示情報は、時間領域におけるＭ個の部分および／または周波数領域におけるＮ個の部分においてプリエンプトされたリソースを指示するために用いられ、前記時間領域におけるＭ個の部分は、時間領域において参照リソースをＭ個の部分に分割することにより得られ、Ｎ個の周波数領域は、周波数領域において前記参照リソースをＮ個の部分に分割することにより得られる方式と、の少なくとも１つを含む、リソース指示方法。
【請求項２１】
プリエンプティブ伝送される参照リソースを設定し、時間領域において前記参照リソースをＭ個の部分に分割し、周波数領域において前記参照リソースをＮ個の部分に分割するように構成される設定モジュールと、
指示情報により、前記時間領域におけるＭ個の部分および／または周波数領域におけるＮ個の部分においてプリエンプトされたリソースを指示する（Ｍ≧１、Ｎ≧１）ように構成される指示モジュールと、を備え、
前記参照リソースの時間領域に含まれる下りシンボル数は、１４よりも少ない、リソース指示装置。
【請求項２２】
実行されると請求項１から１８のいずれか１項に記載の方法、請求項１９に記載の方法、および／または請求項２０に記載の方法を実行するプログラムが記憶された、記憶媒体。
【請求項２３】
実行されると請求項１から１８のいずれか１項に記載の方法、請求項１９に記載の方法、および／または請求項２０に記載の方法を実行するプログラムを実行するためのプロセッサ。
【国際調査報告】
2021503228.tif 000011
2021503228.tif 000012
2021503228.tif 000013
2021503228.tif 000014